(57)【要約】【課題】  受動的な付加／削除ノードのネットワーク（ＮＷ）における保護切換機能を与えるために、選択的な信号再生成及び信号波長変換の機能を有する光リングＮＷ及び方法を提供すること。【解決手段】  本方法は、第１の光ＮＷからのトラフィックを第２の光ＮＷに受動的に付加する。本方法は、第１のＮＷに結合されたノードにおいて、第１のＮＷの光リングから進入トラフィックを受信し、トラフィックの第１及び第２の複製を生成し、トラフィックの第１及び第２の複製を受動的に転送し、トラフィックの第２の複製を実質的に等しい複数の複製に分割し、トラフィックの第２の複製の少なくとも１つを、１以上の波長成分に選別する。更に、トラフィックの第２の複製の１以上の波長成分の信号を、第２のＮＷに結合されたノードに選択的に転送し、該ノードにおいて、１以上の波長で転送された信号を受信し、１以上の波長で転送された信号を、第２のＮＷの光リングに付加する。【選択図】  図１ 
2005160097.tif 000002
【特許請求の範囲】
【請求項１】
第１の光ネットワーク及び第２の光ネットワークより成り、各ネットワークが少なくとも１つの光ゲートウエーノード及び複数の受動的オプティカル付加／削除ノードを有するところの光ネットワークシステムであって、
前記第１の光ネットワークに結合された第１のゲートウエーノードと、
前記第２の光ネットワークに結合された第２のゲートウエーノードとを備え、
前記第１のゲートウエーノードは、受信した光信号の第１の複製を前記第１のゲートウエーノードのマルチプレクサ／デマルチプレクサユニットに転送し、前記マルチプレクサ／デマルチプレクサユニットは、前記第１の複製を１成分以上の波長に多重化し、前記第１の複製の波長の各々におけるトラフィックを選択的に転送又は終端するよう動作し、
前記第１のゲートウエーノードは、受信した光信号の第２の複製を前記第１のゲートウエーノードの再生成要素に転送し、前記第２の複製は前記マルチプレクサ／デマルチプレクサユニットを迂回し、
前記第１のゲートウエーノードは、前記マルチプレクサ／デマルチプレクサユニットにて前記第１の複製の波長の各々におけるトラフィックを選択的に転送又は終端し、
前記第１のゲートウエーノードは、前記再生成要素における前記第２の複製の波長の各々におけるトラフィックについて、トラフィックを終端すること、トラフィックを前記第２の光ネットワークに転送すること又はトラフィックの再生成後に前記第１の光ネトワーク上のトラフィックを転送することの１つを選択的に実行し、
前記第２のゲートウエーノードは、前記第１のゲートウエーノードから転送された前記第２の複製に含まれるトラフィックを受信し、
前記第２のゲートウエーノードは、前記第１のゲートウエーノードから転送された前記第２の複製に含まれるトラフィックを、前記第２の光ネットワークのリングに付加する
ことを特徴とする光ネットワークシステム。
【請求項２】
前記再生成要素が、トラフィックの波長を再生成及び変換した後に、トラフィックを選択的に転送する
ことを特徴とする請求項１記載のシステム。
【請求項３】
第１の光ネットワーク及び第２の光ネットワークより成り、各ネットワークが少なくとも１つの光ゲートウエーノード及び複数の受動的オプティカル付加／削除ノードを有するところの光ネットワークシステムであって、
前記第１の光ネットワークに結合された第１の付加／削除ノードと、
前記第２の光ネットワークに結合された第２の付加／削除ノードとを備え、
前記第１の付加／削除ノードは、前記第１のネットワークから進入トラフィックを受信し、
前記第１の付加／削除ノードは、前記進入トラフィックの第１及び第２の複製を受動的に転送し、前記進入トラフィックの第２の複製は、付加／削除ノードの分配／合成要素に転送され、
前記第１の付加／削除ノードは、前記進入トラフィックの第２の複製を実質的に等しい複数の複製に分割し、
前記第１の付加／削除ノードは、前記進入トラフィックの第２の複製を１以上の構成要素の波長に選別し、
前記進入トラフィックの第２の複製の１以上の構成要素の波長におけるトラフィックを選択的に転送し、
前記第２の付加／削除ノードは、前記第１の付加／削除ノードから転送された第２の複製に含まれるトラフィックを受信し、
前記第２の付加／削除ノードは、前記第１の付加／削除ノードから転送された第２の複製に含まれる転送されたトラフィックを、第２の光ネットワークの光リングに付加する
ことを特徴とする光ネットワークシステム。
【請求項４】
少なくとも１つのネットワークが複数のサブネットより成り、各サブネットが複数の付加／削除ノードより成り、サブネット数がネットワーク内のゲートウエーノード数に等しい
ことを特徴とする請求項３記載のシステム。
【請求項５】
第１の光ネットワークからのトラフィックを第２の光ネットワークに受動的に付加する方法であって、
前記第１の光ネットワークに結合されたノードにおいて、前記第１の光ネットワークの光リングから進入トラフィックを受信し、
前記進入トラフィックの第１及び第２の複製を生成し、
前記進入トラフィックの第１及び第２の複製を受動的に転送し、
前記進入トラフィックの第２の複製を実質的に等しい複数の複製に分割し、
前記進入トラフィックの第２の複製の少なくとも１つを、１以上の構成要素の波長に選別し、
前記進入トラフィックの第２の複製の１以上の構成要素の波長における信号を、第２の光ネットワークに結合されたノードに選択的に転送し、
前記第２の光ネットワークに結合されたノードにおいて、１以上の波長で転送された信号を受信し、
以上の波長で転送された信号を、前記第２の光ネットワークの光リングに付加する
ことを特徴とする方法。
【請求項６】
前記ノードが、ゲートウエーノードより成る
ことを特徴とする請求項５記載の方法。
【請求項７】
複数のサブネットに分割される少なくとも１つの光リングと、
複数のゲートウエーノードと、
を備える光ネットワークであって、前記サブネットの各々は、前記光リングに結合された１以上の付加／削除ノードを有し、１以上の波長で光リングにトラフィックを受動的に付加し、１以上の波長で光リングからトラフィックを受動的に除き、
少なくとも１つの付加／削除ノードは、
複数の光信号より成る進入光トラフィックをそれぞれ別個のチャネルで受信し、
受信した光トラフィックの第１の複製及び第２の複製を転送し、
第２の複製の第１のチャネルに含まれる信号と、第２の複製の第２のチャネルに含まれる信号とを第３のチャネルに多重化し、
前記第３のチャネルの多重化されたトラフィックを、前記第１の複製の第１及び第２のチャネルのトラフィックに付加し、
前記第１の複製の第１及び第２のチャネルにおける少なくともトラフィックに含まれる光信号と、第３チャネルのトラフィックとをネットワーク内の別のノードに転送し、
前記ゲートノードの各々は、
隣接するサブネット間の境界で光リングに結合され、
前記第１の複製の第１及び第２のチャネルの少なくともトラフィックと、第３のチャネルのトラフィックとを含む光信号を受信し、
前記第１の複製の第１及び第２のチャネルのトラフィックを終端し、
第３のチャネルのトラフィックをネットワーク内の別のノードに転送する
ことを特徴とする光ネットワーク。
【請求項８】
前記ゲートウエーノードが、第１の光カプラを利用して、前記ゲートウエーノードで受信した光信号の第１及び第２の複製を転送し、
前記ゲートウエーノードが、ゲートウエーノードのマルチプレクサ／デマルチプレクサユニットにおいて、ゲートウエーノードで受信した光信号の第１の複製の各波長でトラフィックを選択的に転送又は終端し、前記マルチプレクサ／デマルチプレクサユニットは、受信した光信号の波長の各々でトラフィックを選択的に転送又は終端し、転送されたトラフィックは再生成されず、
前記ゲートウエーノードが、ゲートウエーノードの再生成要素において、ゲートウエーノードで受信した光信号の第２の複製の波長の各々におけるトラフィックについて、第２の複製の第１及び第２のチャネルに含まれるトラフィックを含むトラフィックを終端すること、トラフィックを再生成した後にトラフィックを転送すること又はトラフィックの波長を再生成及び変換した後にトラフィックを転送することの何れかを選択的に実行する
ことを特徴とする請求項７記載の光ネットワーク。
【請求項９】
複数の付加／削除ノード及び複数のゲートウエーノードより成る光ネットワークの光リングにおいて、多重化されたトラフィックを伝送する方法であって、
複数の光信号より成る進入光トラフィックを、光ネットワークの第１のリングに結合された第１の付加／削除ノードにて、それぞれ別個のチャネルで受信し、
受信した光トラフィックを、ネットワークの第２の付加／削除ノードに転送し、
第２の付加／削除ノードにおいて、受信した光信号の各々に関する第１の複製及び第２の複製を生成し、
受信した信号の各々に関する第２の複製に含まれる信号を多重化信号に多重化し、
前記多重化信号に含まれるトラフィックを、受信信号の各々に関する第１の複製に含まれるトラフィックに付加し、
多重化信号に含まれる少なくともトラフィックと、受信信号の各々に関する第１の複製に含まれるトラフィックとをネットワーク内のゲートウエーノードに転送し、
多重化信号に含まれる少なくともトラフィックと、受信信号の各々に関する第１の複製に含まれるトラフィックとを含む光信号を、ゲートウエーノードの第１の光カプラで受信し、前記第１の光カプラはゲートノードで受信した光信号の第１の複製及び第２の複製を転送し、
ゲートウエーノードで受信信号の各々に関する第１の複製に含まれるトラフィックを終端し、
多重化信号内のトラフィックを、ゲートウエーノードから、ネットワーク内の別のノードに転送する
ことを特徴とする方法。
【請求項１０】
光リングの第２リングにおける受信信号の各々に含まれるトラフィックに含まれる多重化信号を転送する
ことを更に含むことを特徴とする請求項９記載の方法。
【発明の詳細な説明】
【技術分野】
【０００１】
本発明は、一般に光伝送システムに関し、特に光サブネットを有する光リングネットワーク及び方法に関する。
【背景技術】
【０００２】
テレコミュニケーションシステム、ケーブルテレビジョンシステム及びデータ通信ネットワークは、遠隔した地点間で大量の情報を速やかに搬送するために光ネットワークを利用する。光ネットワークでは、情報は、光信号の形式で光ファイバを介して搬送される。光ファイバは、非常に低損失で長距離にわたって信号を伝送することの可能な細いガラス線より成る。
【０００３】
光ネットワークは伝送容量を増やすために波長分割多重化（ＷＤＭ）又は高密度波長分割多重化（ＤＷＤＭ）を利用することが間々ある。ＷＤＭ及びＤＷＤＭネットワークでは、多くの光チャネルが異なる波長で各ファイバにて搬送される。ネットワーク容量は、各ファイバ又はチャネルにおける波長又はチャネル数、又はチャネルのサイズ等に基づく。
【０００４】
ＷＤＭ及びＤＷＤＭネットワークが構築されるトポロジは、そのようなネットワークが使用される範囲を決定する上で重要な役割を演じる。リングトポロジは今日のネットワークで一般的である。ＷＤＭ付加／削除ユニットは、そのような光リング周辺におけるネットワーク要素として機能する。各ネットワーク要素（ノード）でＷＤＭ付加／削除装置を利用することで、複合的な信号全体は、構成するチャネルに完全に分離可能であり、切り替え可能である（付加される／削除される又はそこを通過させる）。
【発明の開示】
【発明が解決しようとする課題】
【０００５】
本発明の課題は、受動的な付加／削除ノードのネットワークにおけるプロテクションスイッチング機能を与えるために、選択的な信号再生成機能及び信号波長変換機能を与える素子を有する光リングネットワークを提供することである。
【課題を解決するための手段】
【０００６】
本発明の一態様によれば、第１の光ネットワークからのトラフィックを第２の光ネットワークに受動的に付加する方法が使用され、本方法は、前記第１のネットワークに結合されたノードにおいて、前記第１のネットワークの光リングから進入トラフィックを受信し、トラフィックの第１及び第２の複製を生成し、トラフィックの第１及び第２の複製を受動的に転送し、トラフィックの第２の複製を実質的に等しい複数の複製に分割し、トラフィックの第２の複製の少なくとも１つを、１以上の波長成分に選別する。更に本方法は、トラフィックの第２の複製の１以上の波長成分の信号を、第２のネットワークに結合されたノードに選択的に転送し、該ノードにおいて、１以上の波長で転送された信号を受信し、１以上の波長で転送された信号を、前記第２のネットワークの光リングに付加する。
【０００７】
本発明の別の態様によれば、複数の付加／削除ノード及び複数のゲートウエーノードより成る光ネットワークの光リングにおいて、多重化されたトラフィックを伝送する方法が使用され、本方法は、複数の光信号より成る進入光トラフィックを、光ネットワークの第１のリングに結合された第１の付加／削除ノードにて、それぞれ別個のチャネルで受信し、受信した光トラフィックを、ネットワークの第２の付加／削除ノードに転送し、第２の付加／削除ノードにおいて、受信した光信号の各々に関する第１の複製及び第２の複製を生成する。また、本方法は、受信した信号の各々に関する第２の複製に含まれる信号を多重化信号に多重化し、前記多重化信号に含まれるトラフィックを、受信信号の各々に関する第１の複製に含まれるトラフィックに付加し、多重化信号に含まれる少なくともトラフィックと、受信信号の各々に関する第１の複製に含まれるトラフィックとをネットワーク内のゲートウエーノードに転送する。更に本方法は、多重化信号に含まれる少なくともトラフィックと、受信信号の各々に関する第１の複製に含まれるトラフィックとを含む光信号を、ゲートウエーノードの第１の光カプラで受信する。第１の光カプラはゲートノードで受信した光信号の第１の複製及び第２の複製を転送する。また、本方法は、ゲートウエーノードで受信信号の各々に関する第１の複製に含まれるトラフィックを終端し、多重化信号内のトラフィックを、ゲートウエーノードから、ネットワーク内の別のノードに転送する。
【発明の効果】
【０００８】
本発明の１以上の態様による技術的な利点は、改善された光リングネットワークを提供することを含む。特定の態様では、そのようなネットワークは１つの光リングネットワークの付加／削除ノード又はゲートウエーを含んでもよく、それは、他の光リングネットワークに接続された付加／削除ノード又はゲートウエーに結合され、あるネットワークから別のネットワークへトラフィックを受動的に付加／削除することを可能にする。
【０００９】
一態様による別の技術的利点は、複数の光信号に含まれるトラフィックを単独の光信号に多重化することの可能な光リングネットワークを提供し、波長のリソースがネットワーク上で節約されるようにする機能である。
【００１０】
本発明による様々な態様は、列挙された技術的利点の全部又は一部を含んでもよいし、全く含まなくてもよいことが理解されるであろう。更に、本発明に関する他の技術的利点は、詳細な説明、図面及び特許請求の範囲から当業者に速やかに明白になるであろう。
【発明を実施するための最良の形態】
【００１１】
図１は本発明の一実施例による光ネットワーク１０を示すブロック図である。本実施例では、ネットワーク１０は光リングである。光リングは、適切であるように、単独の、単方向のファイバ、単独の、双方向のファイバ又は単一若しくは双方向のファイバの複数個を含んでもよい。図示の例では、ネットワーク１０は一対の単方向のファイバを含み、その各々は反対方向にトラフィックを伝送し、具体的には第１のファイバはリング１６であり、第２のファイバはリング１８である。リング１６，１８は複数の付加／削除ノード（ＡＤＮ）１２及び光ゲートウエー１４を接続する。ネットワーク１０は光ネットワークであり、多数の光チャネルが共通の経路上で別々の波長／チャネルで搬送される。ネットワーク１０は、波長分割多重化（ＷＤＭ）方式の、高密度波長分割多重化（ＤＷＤＭ）方式の又は他の適切なマルチチャネル方式のネットワークとしてもよい。ネットワーク１０は、短距離大都市ネットワーク、長距離都市間ネットワーク若しくは適切な任意のネットワーク又はそれらのネットワークの組み合わせとして使用されてもよい。
【００１２】
図１を参照するに、光情報信号はリング１６，１８上で異なる方向に伝送される。光信号は、音声の、映像の、文字の、リアルタイムの、非リアルタイムの及び／又は他の適切なデータをエンコードするために変調された少なくとも１つの特性を有する。変調は、位相シフトキーイング（ＰＳＫ）、強度変調（ＩＭ）及び他の適切な方法に基づいてなされてもよい。
【００１３】
図示の例では、第１のリング１６は時計回のリングであり、トラフィックは時計回りの方向に伝送される。第２のリング１８は反時計回のリングであり、トラフィックは反時計回りの方向に伝送される。ＡＤＮ１２はリング１６，１８へトラフィックを受動的に付加する及びそこからトラフィックを受動的に除去するようにそれぞれ動作する。特に、ＡＤＮ１２の各々はローカルクライアントからトラフィックを受信し、そのトラフィックをリング１６，１８に付加する。同時に、ＡＮＤ１２はリング１６，１８からトラフィックを受信し、そのローカルクライアントに宛てられたトラフィックを除く又は落とす。本明細書及び特許請求の範囲を通じて使用されるように、「各々」成る語は、指定される複数の項目の少なくとも１つの部分集合の１つ１つ総てを意味する。トラフィックを付加及び除く際に、ＡＤＮ１２はリング１６，１８で伝送するためにクライアントからのデータを組み合わせ、及びクライアントのためにリング１６，１８からのデータのチャネルを除く。トラフィックは、そのトラフィックをローカルクライアントへの送信に利用可能にすることによって、除かれてもよい。そして、トラフィックは除かれ、リング上で更に巡回し続ける。ＡＤＮ１２はトラフィックのチャネル間隔によらずリング１６，１８上でトラフィックを通信し、ＡＤＮ１２にて「柔軟性のある」チャネル間隔を提供する。本願における「受動的に」なる語は、力、電気及び／又は部品の移動なしにチャネルの付加又は除去を行うことを意味する。能動的な装置は、処理を行うために力、電気及び／又は部品の移動を利用する。本発明の特定の実施例では、トラフィックは、伝送リングにおけるマルチプレクス／デマルチプレクスなしに及び／又はリングにおける信号の一部を分離することなしに、分離／合成によりリング１６，１８へ受動的に加えられ及び／又はそこから除かれてもよい。
【００１４】
リング１６，１８及びＡＤＮ１２は、二次的なネットワーク即ち「サブネット」２０，２２，２４に分割され、サブネットはサブネット境界を形成するゲートウエー１４を備える。サブネットはリング上の複数ノードの部分集合として定められ、その波長は互いに分離されず、サブネット内のノードからトラフィックストリームを構成するが、その波長は、宛先ノードへ達するためにサブネットを通過する、そこへ入る又はそこから出るトラフィックストリームを伝送する波長の部分を除いて（少なくとも通常動作期間の間）、リング上の他のノードからのトラフィックストリームから分離されている。ゲートウエーは、宛先ＡＤＮに到達したサブネットからのトラフィックチャネル（反対方向にそれらの宛あきノードに到達した又はするであろうものを含む）を決定するように、且つそれらの宛先ＡＤＮに到達してないサブネットからのトラフィックチャネルを転送するように動作してもよい。ゲートウエー１４に関する更なる詳細は図４Ａに関連して後述される。
【００１５】
各サブネット内で、トラフィックはリング１６，１８に対して受動的に付加され及び除かれ、チャネル間隔はフレキシブルであり、ノードは、サブネット内のノードに及びそこから信号を送信及び受信することが自由である。そのようなトラフィックは「イントラ−サブネットトラフィック」と言及されてもよい。トラフィックの他の部分−「インターサブネットトラフィック」は他のサブネット内のノードに及びそこから伝搬する。そのようなインターサブネットトラフィックは、２つのサブネットの少なくとも一部の中を伝搬又は進行する。イントラサブネットトラフィックストリームは、それが伝搬するサブネット内でのみ波長／チャネルを利用するので、１つのサブネット内のイントラサブネットトラフィックに使用される波長／チャネルは、別のサブネット内で別のトラフィックチャネルストリームによって使用される可能性があってもよい。このように、個々のサブネット内でフレキシブルなチャネル間隔を維持しつつ、ネットワークの全体的な容量が増やされる。
【００１６】
波長、電力及び品質のパラメータのような信号情報は、ＡＤＮ１２にて及び／又は中央制御システムによって監視されてもよい。ＡＤＮ１２は、回線切断その他の割り込みの際に、リング１６，１８の一方又は双方で回路保護機能を提供してもよい。光監視チャネル（ＯＳＣ）が、互いに通信するために及び制御システムと共にノードによって使用されてもよい。特定の実施例では、図５乃至７に関して以下に詳細に説明されるように、ネットワーク１０は単方向光経路スイッチングリング（ＯＵＰＳＲ）ネットワークでもよく、第１ＡＤＮ１２から第２ＡＤＮ１２へ送信されたトラフィックは、リング１６，１８の双方によって第１ＡＤＮ１２から第２ＡＤＮ１２へ通知される。第２ＡＤＮ１２は、第２ノードが、リング１６，１８を通じて到着するトラフィックを選択可能にする要素を含み、リングからのトラフィックをローカルクライアントに転送し、より低いビットエラーレート（ＢＥＲ）、より高い電力レベル及び／又は他の適切且つ望ましい性質を有するようにする。或いは、そのような要素は、１以上の動作特性に関して選択されたレベルをトラフィックが下回る／上回らない限り、指定されたリングからトラフィックを選択してもよい（この場合に、他のリングからのトラフィックが選択されてもよい。）。そのような双方向の信号を利用することは、回線遮断や、リング１６，１８の他の部分に不具合がある場合に、リング１６，１８の少なくとも１つで第１ＡＤＮ１２から第２ＡＤＮ１２へのトラフィックを取得することを可能にする。
【００１７】
他の実施例では、ネットワークは光共用経路プロテクションリング（ＯＳＰＰＲ）ネットワークとしてもよく、リング１６，１８の一方が、他方のリング１６又は１８における通信が中断された際に、バックアップ通信又は保護経路として使用されてもよい。そのようなバックアップ容量が使用されない場合には、他のプリエンプタブルトラフィックを通知し、そのような態様におけるネットワーク１０の容量増加を図る。そのようなＯＳＰＰＲプロテクション法は、図８−１０に関連して後に詳細に説明される。
【００１８】
波長割当アルゴリズムは、波長再利用度を最大化し、及び／又は発見的に（ｈｅｕｒｉｓｉｃａｌｌｙ）波長を割り当てる。例えば、発見的な割当は、イントラサブネット（同一サブネット内の進入ノード及び進出ノード）光経路総てに、最も低い利用度の波長を割り当てる。一方、インターサブネット光経路（その件に関し、その進入及び進出ノードは異なるサブネット又は異なるリングにある）は、可能な最高の波長に割り当てられてもよい。これは、静的な負荷の均衡を図る機能を与え、リング内で必要とされる正味のトランスポンダカードの種類の数を減らすことができる。
【００１９】
一実施例では、各サブネットは、波長資源を良好に利用するように割り当てられ、光ネットワークに実質的に等しい波長チャネル容量を有する。一実施例におけるこの文脈による「実質的に等しい」は、サブネットが、他のサブネットから分離され且つイントラサブネットに使用可能な波長の８０％を有することを意味してもよい。他の実施例における実質的に等しいは、９０パーセントその他の適切な割合を意味してもよい。
【００２０】
ネットワークはノード毎の帯域利用度に基づいて複数のサブネットに分割されてもよい。例えば、ネットワークは、特定数のノード、ネットワークの（帯域の観点からの）最大容量及びノード当たりの典型的な容量を有してもよい。全帯域が完全に消費される場合又はサブネットの帯域が次のノードの追加により過剰な帯域を生じるようである場合に、帯域は各ノードに分配され、及び第１のサブネットが構築される。このプロセスは、各ノードが可能なサブネット内に配置されるまで反復される。
【００２１】
図２Ａは、本発明の一実施例による図１のＡＤＮ１２の詳細を示すブロック図である。図２を参照するに、ＡＤＮ１２は、反時計回りの伝送要素５０ａと、時計回りの伝送要素５０ｂと、反時計回りの分配／合成要素８０ａと、時計回りの分配／合成要素８０ｂと、残りの要素１１０とを有する。一実施例では、要素５０，８０，１１０及び要素内の部品は、光ファイバリンクと共に相互接続されてもよい。他の実施例では、各部品は部分として実現され、或いは平面ウエーブガイド回路及び／又は自由空間光学素子として実現されてもよい。適切ないかなる接続も代替的に使用されてもよい。更に、ＡＤＮ１２の要素の各々は、ＡＤＮ１２のカード棚内の１以上の個別のカードとして実現されてもよい。カード棚に関する例示的なコネクタ７０は、図２Ａに示される。コネクタ７０は、不具合のある部品に関する効率的且つコスト効果的な置き換えを可能にする。追加的な、異なる及び／又は他のコネクタがＡＤＮ１２の一部として設けられてもよいことが理解されるであろう。
【００２２】
伝送要素５０は、リング１６，１８の「ライン上に」設けられる。伝送要素５０は、単独の付加／削除カプラ６０又は複数の付加／削除カプラ６０から構成され、カプラはトラフィックに対する受動的な付加及び削除を可能にする。図示の例では、伝送要素５０の各々は、単独の付加／削除カプラ６０を含む。或いは、別個の削除カプラ及び付加カプラが用意され、カプラの一方が不具合の場合に他方のカプラが依然として付加又は削除を行えるようにしてもよい。カプラ６０が説明されたが、適切な他のいかなる光スプリッタが使用されてもよい。本説明及び特許請求の範囲に関し、「カプラ」、「スプリッタ」及び「合成器」なる語は、１以上の入力光信号を受信し、単数又は複数の入力光信号を１以上の光出力信号に分割又は合成する任意の装置をそれぞれ含むように理解されるべきである。伝送要素５０は、更に、各要素の進入及び進出の端部におけるＯＳＣフィルタ６６と、進入ＯＳＣフィルタ６６ａ及び進出ＯＳＣフィルタ６６ｂの間における増幅器６４とを備える。増幅器６４は、エルビウムのドープされたフィルタ増幅器（ＥＤＦＡ）又は他の適切な増幅器から構成されてもよい。ＯＳＣフィルタ６６は、薄膜タイプ、ファイバ回折格子その他の適切な形式のフィルタから構成されてもよい。
【００２３】
分配／合成要素８０はそれぞれドロップ信号スプリッタ８２及び付加信号合成器８４から構成されてもよい。スプリッタ８２は、１つの光ファイバ進入リードと、ドロップリード８６として機能する複数の光ファイバ進出リードとを有してもよい。複数のドロップリード８６は、１以上のフィルタ１００に接続され、１以上のフィルタは１以上のドロップ光受信機１０２に接続されてもよい。４つのドロップリード８６が備わる特定の実施例では、スプリッタ８２は２×４個の光カプラを有し、１つの進入リードはそこで終端され、他の進出リードはファイバセグメントによってカプラ６０に結合され、４つの進出リードはドロップリード８６として使用される。図示の例は４つのドロップリード８６を示しているが、以下に更に詳細に説明されるように、適切な任意数のドロップリード８６が実現さてもよいことが理解されるべきである。
【００２４】
合成器８４は、同様に、付加リード８８として機能する複数の光ファイバの進入リードと、１つの光ファイバ進出リードを有するカプラから構成される。付加リード８８は、１以上の付加光送信機１０４に接続されてもよい。４つの付加リード８８が実現される特定の実施例では、合成器８４は２×４個の光カプラを有し、４つの進入リードはそこで終端され、１つの進出リードはファイバセグメントを通じてカプラに結合され、４つの進入リードは付加リード８８として使用される。図示の例は４つの付加リード８８を示しているが、以下に更に詳細に説明されるように、適切な任意数の付加リード８８が実現されてもよいことが理解されるべきである。ＡＤＮ１２は更に反時計回りの付加ファイバセグメント１４２と、反時計回りの削除ファイバセグメント１４４と、時計回りの付加ファイバセグメント１４６，時計回りの削除ファイバセグメント１４８とを有し、それらはカプラ６０をスプリッタ８２及び合成器８４に接続する。
【００２５】
管理要素１１０は、ＯＳＣ受信機１１２と、ＯＳＣインターフェース１１４と、ＯＳＣ送信機１１６と、要素管理システム（ＥＭＳ）１２４とを有してもよい。また、ＡＤＮ１２は、ＯＳＣファイバセグメント１５０，１５２，１５４，１５６を有し、それらは管理要素１１０を進入及び進出ＯＳＣフィルタ６６に接続してもよい。ＯＳＣ受信機１１２、ＯＳＣインターフェース１１４及びＯＳＣ送信機１１６一式の各々は、ＡＤＮ１２内のリング１６，１８の１つに対するＯＳＣユニットを構成する。ＯＳＣユニットはＥＭＳ１２４に関するＯＳＣ信号を受信及び送信する。ＥＭＳ１２４はネットワーク管理システム（ＮＭＳ）１２６に通信可能に接続されてもよい。ＮＭＳ１２６は、ＡＤＮ１２内にあってもよいし、別のノード内に又はＡＤＮ１２全体に対して外部にあってもよい。
【００２６】
ＥＭＳ１２４及び／又はＮＭＳ１２６は、ネットワーク１０に関する、ネットワーク及び／又はノードの監視、不具合検出、プロテクションスイッチング、及びループバック又はローカルな検査機能を実行するために媒体内でエンコードされたロジック（論理内容）から構成されてもよい。ロジックは、ディスクその他のコンピュータ読み取り可能な媒体にてエンコードされたソフトウエアから構成されてもよいし、及び／又は特定用途向け集積回路（ＡＳＩＣ）、フィールドプログラマブルゲートアレイ（ＦＰＧＡ）若しくは他のプロセッサやハードウエア内でエンコードされた命令から構成されてもよい。ＥＭＳ１２４及び／又はＮＭＳ１２６の機能は、ネットワークの他の要素によって実行されてもよいし、及び／又は分散化若しくは集中化されてもよいことが、理解されるであろう。例えば、ＮＭＳ１２６の動作は、ノード１２ａ及び／又は１４のＥＭＳ１２４に分散されてもよいし、独立した個別の素子としてのＮＭＳ１２６は省略されてもよい。同様に、ＯＳＣユニットは、ＮＭＳ１２６及び省略されたＥＭＳ１２４と直接的に通信してもよい。
【００２７】
動作時にあっては、伝送要素５０は、リング１６，１８にトラフィックを受動的に付加し、リング１６，１８からトラフィックを受動的に除くように動作する。伝送要素５０は、更に、リング１６，１８にＯＳＣ信号を受動的に付加する及びそこからＯＳＣ信号を受動的に除くよう動作する。より具体的には、各ＯＳＣ進入フィルタ６６ａは、各自のリング１６，１８からの進入光信号を処理する。ＯＳＣフィルタ６６ａは、光信号からＯＳＣ信号をフィルタリング（選別）し、そのＯＳＣ信号を各自のＯＳＣ受信機１１２に転送する。各ＯＳＣフィルタ６６ａは、残りの伝送光信号を関連する増幅器６４に転送する又は通過させる。増幅器６４は信号を増幅し、その信号を関連するカプラ６０に転送する。
【００２８】
各カプラ６０は、増幅器６４からの信号を概して等しい２つの信号に受動的に分割する：それらは、進入ＯＳＣフィルタ６６ｂに転送される通過信号（以下に説明されるように、後に付加トラフィックと合成される）と、関連する分配／合成要素８０に転送されるドロップ信号とである。分割された信号は複製（コピー）であり、それらは電力及び／又はエネルギーレベルは異なるかもしれないが、内容的には同じ又は実質的に等しい。カプラ６０の各々は、通過信号と付加信号とを合成し、付加信号は関連する分配／合成要素８０からの付加トラフィックを有する。合成された信号は、カプラ６０から関連するＯＳＣ進出フィルタ６６ｂに転送される。カプラ６０は付加及び削除の双方を実行し、それらが低損失且つ簡易であるようにする。カプラ６０に不具合が発生した場合に、カプラの置換は付加及び削除の双方に影響を及ぼす。これを回避するために、単独のカプラ６０を使用する代わりに、ドロップカプラ及び付加カプラがカスケード式に（又は縦属的に）接続されてもよい。
【００２９】
ＯＳＣ進出フィルタ６６ｂは、関連するＯＳＣ送信機１１６からのＯＳＣ信号を、合成された光信号に付加し、ネットワーク１０の関連するリング１６又は１８に、進出伝送信号として新たな合成信号を転送してもよい。付加されたＯＳＣ信号は、ローカルに生成されたデータでもよいし、或いはＥＭＳ１２４によって転送された受信ＯＳＣデータでもよい。
【００３０】
カプラ６０に転送される前に、（ローカルクライアント若しくは加入者からの、他のネットワークからの又は適切な他の任意のソースからの）ローカルに導出された付加トラフィックは、１以上の光送信機１０４から、分配／合成要素８０にて受信される。１以上の光送信機１０４は、手動可変光減衰器のような、送信機１０４からの光出力電力を調整する１以上の素子を含んでもよい。リング１８に付加されるトラフィックは分配／合成要素８０ａにて受信され、リング１６に付加されるトラフィックは分配／合成要素８０ｂにて受信される。これら受信された信号は、監視内容として使用可能である。別個の光送信機１０４が、トラフィックがＡＤＮ１２にて付加される波長／チャネルの各々について使用されてもよい。更に、各付加リード８８は、異なる波長／チャネルに関連付けられてもよい。従って、トラフィックが特定のＡＤＮ１２にて付加されることが望まれる個々のチャネルの各々について、送信機１０４及び付加リード８８の組み合わせが存在してもよい。各リング１６，１８について４つの付加リード８８が図示されているが（４つの送信機１０４は明示的には示されていないが）、適切な任意数の光送信機１０４及び関連する付加リード８８が使用されてもよいことが、理解されるであろう。
【００３１】
特定の分配／合成要素８０に関連する１以上の送信機１０４からの付加トラフィックは、関連する合成器８４で受信される。合成器８４は、（適切であるならば）複数の送信機１０４からの信号を合成し、関連するリング１６又は１８に付加するために、合成された付加信号を関連するカプラ６０に転送する。上述したように、この付加トラフィックは、転送されたトラフィックとカプラ６０にて合成される。合成器８４は、カプラ、マルチプレクサその他適切ないかなる装置でもよい。
【００３２】
図示の例では、各分配／合成要素８０に関連するような、別個の光送信機１０４が示されている。そのような態様では、リング１６，１８の各々を介して異なる信号が通信されてもよい。例えば、第１信号がＡＤＮ１２のリング１６にて特定のチャネル／波長に付加され、全体的に異なる信号がＡＤＮ１２によりリング１８の同じチャネル／波長に付加可能である。これが可能であるのは、チャネル／波長の各々が、各分配／合成要素８０にて関連する光送信機１０４を有するからである。以下に説明されるように、そのような特徴は、ＯＳＰＰＲネットワークを提供する場合に特に有益である。
【００３３】
しかしながら、以下に更に詳細に説明されるように、ＯＵＰＳＲネットワークを提供する場合には、典型的には同一のトラフィックチャネルが、リング１６及びリング１８の双方においてＡＮＤ１２から付加される。この重複的なトラフィックは、誤り保護機能を与えるように使用される。そのような例では、光送信機１０４の２つの別個の組は不要である。その代り、分配／合成要素８０ａ，８０ｂは送信に１０４の一組を共用できる。そのような場合には、特定の光送信機１０４によって生成される付加信号（特定のチャネル／波長における付加信号）は、分配／合成要素８０ａ及び／又は分配／合成要素８０ｂの双方の合成器８４に通知されてもよい。従って、同一のトラフィックがＡＤＮ１２によりリング１６，１８に付加される。
【００３４】
上述したように、リング１６又は１８にてローカルに宛てられたトラフィックは、カプラ６０を用いて、関連する分配／合成要素８０に落とされる。落とされるトラフィック（ドロップトラフィック）は、分配／合成要素８０のスプリッタ８２で受信され、スプリッタ８２は落とされる信号を概ね等しい複数の信号に分割し、ドロップリード８６を通じて各信号を光受信機１０２に転送する。特定の実施例では、光受信機１０２で受信された信号は、関連するフィルタ１００で選別される。フィルタ１００は、各フィルタが様々なチャネルで関連する受信機１０２に転送可能にするように実現される。フィルタ１００は、（音響−光チューナブルフィルタのような）チューナブルフィルタその他の適切なフィルタでもよいし、受信機１０２はブロードバンド受信機その他の適切な受信機でもよい。そのような態様は、特定のリング１６又は１８に関連する各受信機が、異なる波長で受信すること及びその波長で送信された情報を適切なクライアントに転送することを可能にする。フィルタ１００を通過する落とされた信号は、信号の再生成なしに（信号がそのような再生成を要しないならば）、クライアントに光学的に転送可能である。
【００３５】
上述したように、ＡＤＮ１２は要素管理システムも提供する。ＥＭＳ１２４はＡＤＮ１２内の総ての要素を監視及び／又は制御する。特に、ＥＭＳ１２４は、そのリングに関連するＯＳＣ受信機１１２により電気的な形式で各リング１６，１８からＯＳＣ信号を受信する（ＯＳＣ受信機１１２はＯＳＣフィルタ６６ａを通じて信号を得る。）。ＥＭＳ１２４は信号を処理し、その信号を転送し及び／又はその信号をループバックする。例えば、ＥＭＳ１２４は、電気信号を受信するよう動作し、ＯＳＣ送信機１１６及び／又はＯＳＣフィルタ６６ｂを通じてＯＳＣ信号をリング１６又は１８の次のノードに再送信し、適切であるならば、付加するノード固有誤り情報又は他の適切な情報をＯＳＣに再送信する。
【００３６】
一実施例では、ＡＤＮ１２内の各要素は、それ自身を監視し、不具合又は他の問題が生じたときに、ＥＭＳ１２４への警報信号を生成する。例えば、ＡＤＮ１２内のＥＭＳ１２４は、ＡＤＮ１２内の要素及び部品からの１以上の様々な種類の警報を受信してもよい：その警報は、増幅器光損失（ＬＯＬ：ｌｏｓｓ−ｏｆ−ｌｉｇｈｔ）アラーム、増幅器装備アラーム、光受信機装備アラーム、光送信機装備アラームその他のアラームである。不具合によっては複数の警報が作成される。例えば、ファイバの切断は、各隣接ノードで増幅器ＬＯＬアラームを生成し、且つ光受信機から誤りアラームも生成される。ＡＤＮ１２内の適切なファイバセグメント及びＥＭＳ１２４に通信可能に接続された光スペクトラムアナライザ（ＯＳＡ）を用いて、ＥＭＳ１２４はＥＭＳ１２４内の光信号の波長及び／又は電力を監視してもよい。
【００３７】
ＮＭＳ１２６は、総てのノード１２，１４から誤り情報（エラー情報）を収集し、警報を分析し、不具合の種類及び／又は場所を判別するように動作する。不具合の種類及び／又は場所に基づいて、ＮＭＳ１２６はネットワーク１０に必要とされる保護スイッチング動作を決定する。プロテクションスイッチング動作は、ノード１２，１４内のＥＭＳに命令を発行することで、ＮＭＳ１２６によって実行される。
【００３８】
エラーメッセージは、不具合の装置を置換することで修復される装備不具合を示す。例えば、光受信機又は送信機の不具合は、光受信機装備アラーム又は光送信機装備アラームの契機をそれぞれ与え、必要に応じて光受信機及び送信機が置換される。
【００３９】
受動的ＡＤＮ１２が説明されてきたが、特定の実施例では、ネットワーク１０は、能動的なノード、受動的なノード、能動的及び受動的なノードの組み合わせを含んでもよい。ノードは、それらが何らの光スイッチ、切替可能な増幅器その他の能動素子を含まない受動的なものでもよい。ノードは、それらが光スイッチ、切替可能な増幅器その他の能動素子を伝送要素内又はノード内に含む能動的なものであってもよい。受動的なノードは、より簡潔であり、安価である。
【００４０】
図２Ｂは、本発明の他の実施例による、図１のＡＤＮ１２の別の態様によるＡＤＮ１２の詳細を示すブロック図である。図２Ｂに示されるＡＤＮ１２は、図２ＢのＡＤＮ１２が反時計回りの伝送要素５２ａ及び時計回りの伝送要素５２ｂより成り、それら各々がサブバンド阻止フィルタ６５を含む点を除いて、図２Ａに示されるＡＤＮ１２と実質的に同様である。サブバンド阻止フィルタ６５は、伝送要素５２を通過するものから、光トラフィックの特定のサブバンド（帯域）を阻止する。サブバンドはネットワークの帯域の一部である。各サブバンドは、０個、１個の又は複数個のトラフィックチャネルを搬送してもよい。トラフィックチャネルはサブバンド内でフレキシブルに離されてもよい。阻止されないサブバンドに含まれるトラフィックは、ネットワークの他の要素に伝送される。そのように通過したトラフィックは、ネットワーク内の他のノードでは阻止されるかもしれない。阻止フィルタ６５による特定のサブバンドの阻止機能は、そのサブバンドのトラフィックが、ネットワークで通信されるサブバンド内のトラフィックと干渉せずに、ＡＤＮ１２にて付加及び除去されるのを可能にする。
【００４１】
図３は、本発明の一実施例による、図２ＡのＡＤＮ１２又は図２ＢのＡＤＮ１１２の光カプラ６０の詳細を示すブロック図である。以下、ＡＤＮ１２による参照は、ＡＤＮ１２及びＡＤＮ１１２の双方に適用可能であるとする。本実施例では、光カプラ６０は、２つの入力及び２つの出力を有するファイバカプラである。他の実施例では、光カプラ６０は、ウエーブガイド回路及び／又は自由空間光学素子と共に、全部又は一部にて組合わせられてもよい。カプラ６０は１以上の任意数の適切な入力及び出力を含んでもよいし、カプラ６０は出力より多くの入力を有する或いは入力より多くの出力を有してもよいことが理解されるであろう。
【００４２】
図３を参照するに、光カプラ６０は、メインボディ（本体）１８０、第１進入セグメント１８２、第２進入セグメント１８４、第１進出セグメント１８６及び第２進出セグメント１８８から構成される。第１進入セグメント１８２及び第１進出セグメント１８６は、第１の連続的な光ファイバを構成する。第２進入セグメント１８４及び第２進出セグメント１８８は、第２の連続的な光ファイバを構成する。本体１８０、セグメント１８２，１８４，１８６，１８８以外は、ジャケット（カバー）、クラッディング及びコアファイバから構成される。ジャケット及びクラッディングが外された本体１８０の内側では、コアファイバがより合わせられ或いは共に結合され、第１及び第２の連続的な光ファイバの間で信号の光信号及び／又はエネルギの伝送を可能にする。このように、光スプリッタ／カプラ６０は、進入セグメント１８２，１８４から到来する光信号を受動的に合成し、合成された信号を進出セグメント１８６，１８８を通じて受動的に分割及び転送する。複数の信号は合成され、合成された信号は、合成してその後に合成信号を分割することで、又はファイバ間でエネルギを伝達することによって信号を同時に合成及び分割することで、分割される。このように、光スプリッタ／カプラ６０は、主要なストリームラインにおけるチャネルスペーシングに何らの制限も与えずに、フレキシブルなチャネル間隔設定機能を与える。特定の実施例では、カプラは−５５ｄＢ以上の方向性を有する。挿入損失の波長依存性は、１００ｎｍの範囲内で約０．５ｄＢより小さい。５０／５０カプラに対する挿入損失は、約−３．５ｄＢより小さい。
【００４３】
図４Ａは、本発明の一実施例による図１のネットワークの光ゲートウエー１４の詳細を示すブロック図である。上述したように、ゲートウエー１４は、隣接するサブネット間に設けられてもよいし、隣接するサブネットの境界を形成してもよい。ゲートウエー１４は、適切ないかなるノード、複数のノード又は１以上のノードの要素でもよく、リングの１以上の方向におけるノード間で又は他の適切なネットワーク形態で、チャネル（又はチャネル群）を選択的に隔離する又は露出するように構築可能である。特定の実施例では、そのようなチャネル（又はチャネル群）の各々における信号について、ゲートウエー１４は、非変更の信号を通過させ、信号を再生成し、又は信号の波長を再生成及び変換してもよい。
【００４４】
図４Ａを参照するに、ゲートウエー１４は、反時計回りの伝送要素２００ａ及び時計回りの伝送要素２００ｂを含む。伝送要素２００はそれぞれマルチプレクサ／デマルチプレクサ（ｍｕｘ／ｄｅｍｕｘ）ユニット２１４より成る。Ｍｕｘ／ｄｅｍｕｘユニット２１４は、それぞれ、デマルチプレクサ２０６、マルチプレクサ２０４及びスイッチ素子から構成され、スイッチ素子は、スイッチ２１０の配列から構成される、或いはトラフィックチャネル（又は一群のチャネル）を選択的に転送又は終端するよう動作する他の要素から構成される。特定の実施例では、マルチプレクサ２０４及びデマルチプレクサ２０６は整列したウエーブガイドより成る。他の実施例では、マルチプレクサ２０４及びデマルチプレクサ２０６は、ファイバブラッグ回折格子、薄膜サブバンド（波長／チャネル全体の部分集合である一群の波長／チャネル）マルチプレクサ／デマルチプレクサその他適切ないかなる装置から構成されてもよい。ｍｕｘ／ｄｅｍｕｘユニット２１４がサブバンドｍｕｘ／ｄｅｍｕｘより成る場合には、ユニット２１４はサブバンドを阻止又は転送するよう動作する。スイッチ２１０は、１×２の又は他の適切なスイッチ、光相互接続部、又は他の適切な素子から構成されてもよく、その素子はデマルチプレクスされた（分離された）トラフィックチャネルを転送又は終端するよう動作する。Ｍｕｘ／ｄｅｍｕｘユニット２１４は、代替的に、個々の複数のチャネル又はチャネル群を選択的に阻止又は転送ように集合的に動作する他のいかなる素子から構成されてもよい。
【００４５】
ＡＤＮ１２と同様に、ゲートウエー伝送要素２００は、カプラ６０、増幅器６４，ＯＳＣフィルタ６６及びコネクタ７０を有する。図示の例では、カプラ６０ａは、ｍｕｘ／ｄｅｍｕｘ２１４の各々に先立って設けられ、カプラ６０ｂはｍｕｘ／ｄｅｍｕｘ２１４の各々の後に設けられている。カプラ６０ａは、プリ・アンプ６４ａからの信号を概して等しい２つの信号に受動的に分割し、それらは：ｍｕｘ／ｄｅｍｕｘ２１４に転送される通過信号と、関連する信号再生成要素２２０に転送されるドロップ信号である。分割された信号は、内容的には実質的に同様であるが、電力レベルが異なっていてもよい。カプラ６０ｂは、ｍｕｘ／ｄｅｍｕｘ２１４からの信号を、各信号再生成要素２２０からの信号と受動的に合成する。合成された信号は、カプラ６０ｂからポスト・アンプ６４ｂに転送される。
【００４６】
伝送要素２００は、ＡＤＮ１２の伝送要素５０と同様に、リング１６，１８に及びそこからＯＳＣ信号を付加及び削除を受動的に行うよう動作する。より具体的には、各伝送要素２００はＯＳＣ進入フィルタ６６ａを含み、進入フィルタは、各自のリング１６又は１８から到来する光信号を処理する。各ＯＳＣフィルタ６６ａは、光信号からＯＳＣ信号をフィルタリング（選別）し、ＯＳＣ信号を各自のＯＳＣ受信機１１２に転送する。各ＯＳＣフィルタ６６ａは、残りの光伝送信号を関連するプリアンプ６４ａに転送する又は通過させる。プリアンプ６４ａは、信号を増幅し、その信号を関連するカプラ６０ａに転送する。
【００４７】
伝送要素２００はそれぞれＯＳＣ進出フィルタ６６ｂをも含み、ＯＳＣ進出フィルタは、関連するＯＳＣ送信機１１６からのＯＳＣ信号をポストアンプ６４ｂからの光信号に付加し、合成された信号を、進出伝送信号として、ネットワーク１０の関連するリング１６又は１８に転送する。付加されるＯＣＳ信号は、ローカルに生成されたデータでもよいし、ローカルＥＭＳ１２４により伝送され受信されたＯＳＣデータでもよい。
【００４８】
信号再生性素子２２０はそれぞれスプリッタ２２２及び合成器２２４を含む。ＡＤＮ１２のスプリッタ８２と同様に、スプリッタ２２２は、１つの光ファイバ進入リードと、ドロップリード２２６として機能する複数の光ファイバ進出リードとを有するカプラより成る。１以上のドロップリード２２６はそれぞれフィルタ２３０に接続され、フィルタは光トランスポンダ２３２に接続される。同様に合成器２２４は１つの光ファイバ進出リードと、付加リード２２８として機能する複数の光ファイバ進出リードとを有するカプラより成る。１以上の付加リード２２８はそれぞれ光トランスポンダ２３４に接続される。１以上の光トランスポンダ２３４は、手動可変光減衰器のような、トランスポンダ２３４からの光出力を調整する１以上の素子を含んでもよい。トランスポンダ２３２，２３４はスイッチ２３６を通じて結合され、スイッチは、トランスポンダ２３２から送信された信号をトランスポンダ２３４へ転送し、又はその信号を終端する。
【００４９】
図示の例は４つのドロップリード２２６及び４つの付加リード２２８を示すが、以下に更に詳細に説明されるように、適切な任意数のドロップリード２２６及び付加リード２２８が実現されてもよいことは理解されるであろう。ゲートウエー１４は、反時計回りの付加ファイバセグメント２４２、反時計回りのドロップファイバセグメント２４４、時計回りの付加ファイバセグメント２４６及び時計回りのドロップファイバセグメント２４８から更に構成され、それらはカプラ６０ａ，６０ｂをスプリッタ２２２及び合成器２２４に結合する。
【００５０】
図２に関して上述されたように、ＡＤＮ１２と同様に、ゲートウエー１４は管理要素１１０より成り、管理要素は、ＯＳＣ受信機１１２、ＯＳＣインターフェース１１４、ＯＳＣ送信機１１６及び（ＮＭＳ１２６に結合される）ＥＭＳ１２４から構成される。ＥＭＳ１１０は、図２を参照しながら説明されたように、ＯＳＣファイバセグメント１５０，１５２，１５４，１５６を通じて伝送要素２００に接続される。
【００５１】
動作時にあっては、各伝送要素２００は、複数のチャネルより成る光信号を、各自のリング１６又は１８から受信する。ＯＳＣフィルタ６６ａは、上述したように光信号からＯＳ信号を選別し、残りの光信号は増幅器６４ａに転送され、その増幅器は信号を増幅してそれをカプラ６０ａに転送する。カプラ６０ａは、増幅器６４からの信号を概して等しい２つの信号に受動的に分割し、それらは：ｍｕｘ／ｄｅｍｕｘユニット２１４に転送される通過信号と、関連する信号再生成要素２２０に転送されるドロップ信号である。分割された信号は内容的には実質的に同様であるが、パワーレベルが異なっていてもよい。
【００５２】
ｍｕｘ／ｄｅｍｕｘユニット２１４のデマルチプレクサ２０６は、カプラ６０ａからの光信号を受信し、その信号を構成するチャネルにデマルチプレクス（分離）する。スイッチ２１０は各チャネルを選択的に終端させ或いはマルチプレクサ２０４に選択的に転送する。以下に説明されるように、サブネット及び関連する保護手法を実現するために、チャネルは選択的に終端又は転送される。スイッチ２１０によって転送されるチャネルは、マルチプレクサ２０４によって受信され、マルチプレクサは受信したチャネルをＷＤＭ光信号に多重化し、その光信号をカプラ６０ｂに転送する。
【００５３】
信号再生成要素２２０のスプリッタ２２２もカプラ６０ａからの光信号を受信する。スプリッタ２２２はドロップ信号を複数の概ね等しい信号に分割する。これらの１以上の信号は、ドロップリード２２６を通じて光ファイバ２３０にそれぞれ転送される。各ドロップリード２２６は関連するフィルタ２３０を有していてもよく、そのフィルタは特定の波長／チャネル（又は一群の波長／チャネル）のみを転送することを可能にする。フィルタ２３０は、異なるチャネル（選別されたチャネル）を関連するトランスポンダ２３２に各フィルタが転送することを可能にするように実現されてもよい。そのような態様は、特定の信号再生成要素２２０に関連するトランスポンダ２３２の各々が、異なる波長を受信することを可能にする。このことは、選択された波長がトランスポンダ２３２に転送されることを可能にし、もし適切であるならば、そのように選別された波長の各々が別々に取り扱われることを可能にする。
【００５４】
トランスポンダ２３２の各々は、光信号を受信する受信機と、光信号を電気信号に変換する変換器と含む。また、各トランスポンダは、電気信号を光信号に変換する送信機も含む。光信号のそのような光−電気−光の変換は、信号を再生成する。或いは、受信信号が受信機から送信機へ電気的に通知される場合には、トランスポンダ２３２，２３４は単独の受信機及び単独の送信機でそれぞれ置換されてもよい。光信号が、発信ノードから宛先ノードまでの比較的長い距離を伝搬する必要がある場合に、再生成が必要とされる或いは望まれる。信号のパワーはリング１６又は１８を伝搬するにつれて減少するので、使用できない又は望まれない程度に信号を劣化させるくらいに伝搬距離が非常に長いならば、信号再生成が必要になる。単なる例示として、大都市ネットワークでは、信号が約１００キロメートル伝搬した後に、信号再生成が望まれるかもしれない。
【００５５】
図示の例では、再生された光信号はトランスポンダ２３２からスイッチ２３６に転送され、そのスイッチは各トランスポンダ２３２及び関連するトランスポンダ２３４の間に位置している。スイッチ２３６は、関連するトランスポンダ２３２から到来する光信号を選択的に終端させ、或いはその信号を関連するトランスポンダ２３４へ転送する。トランスポンダ２３４は受信機及び送信機を含み、トランスポンダ２３４へ転送された信号は、トランスポンダ２３２と同様に、光−電気−光変換される。特定の実施例では、トランスポンダ２３４は送信機を含み、その送信機は信号が送信される波長／チャネルを変更する。そのような波長／チャネルを利用することは、以下に更に詳細に説明される。
【００５６】
トランスポンダの「一式（セット）」（トランスポンダ２３２及びトランスポンダ２３４）が描かれているが、ある実施例ではそのようなセットが単独のトランスポンダで置き換えられてもよい。そのような単独のトランスポンダは、信号再生成及び波長変換の双方を実行してもよい。更に、単独のトランスポンダが使用される場合には、スイッチ２３６はトランスポンダの受信機及び送信機の間に設けられてもよいし、或いは何らのスイッチも使用されなくてもよい。更に、任意数のドロップリード２２６及び付加リード２２８並びに関連するトランスポンダ２３２，２３４が使用されてもよい。そのようなリード及びトランスポンダセット（又は個々のトランスポンダ）の数は、リング１６，１８を通じて通信される光信号の波長／チャネルの数に依存して変化してもよく、その波長／チャネルは、それにより再生成又は波長変換が実行されるものである。
【００５７】
選択された波長／チャネルに関する再生成及び／又は波長変換を実行した後に、そのような波長／チャネルは、付加リード２２８を通じて特定の信号再生成要素２２０のトランスポンダ２３４から、その信号再生成要素２２０の合成器２２４に通知される。合成器２２４は、トランスポンダ２３４からの別々の波長／チャネルを合成し、合成された光信号を、関連する伝送要素２００のカプラ６０ｂに転送する。
【００５８】
カプラ６０ｂは、関連するｍｕｘ／ｄｅｍｕｘユニット２１４からの光信号を、関連する信号再生成要素２２０からの光信号と受動的に合成する。合成された信号はカプラ６０ｂから関連するポストアンプ６４ｂに転送され、合成された光信号が増幅される。増幅された光信号はＯＳＣ進出フィルタ６６ｂに転送され、そのフィルタは、関連するＯＳＣ送信機１１６からのＯＳＣ信号を合成された光信号に付加し、新たに合成された信号を、進出伝送信号として、ネットワーク１０の関連するリング１６又は１８に転送する。付加されるＯＳＣ信号は、局所的に生成されたデータでもよいし、ＥＭＳ１２４により転送され受信されたＯＳＣデータでもよい。
【００５９】
各リング１６，１８に関するゲートウエー１４における、カプラ６０ａ，６０ｂ、ｍｕｘ／ｄｅｍｕｘユニット２１４及び信号再生成要素２２０の結合は、リング１６，１８のゲートウエー１４に到達する光トラフィックに関する柔軟性のある取扱いを可能にする。例えば、トラフィックの特定の波長／チャネルがｍｕｘ／ｄｅｍｕｘユニット２１４を通じて転送され、何らの再生成も波長変換も生じないようにしてもよい。これらの同一の波長は、典型的には、カプラ６０ａから信号再生成要素２２０に落とされた光信号から選別される。他の波長の各々は、信号再生成要素２２０のフィルタ２３０の１つを通じて転送可能であり、再生成される及び／又は他の波長に変換される。トランスポンダ２３２に転送されたこれらの波長は、典型的には、ｍｕｘ／ｄｅｍｕｘユニット２１４の関連するスイッチ２１０によって終端される。従って、光信号到来ゲートウエー１４の波長の各々は：（１）選択的に通過させられる、（２）（光サブネット領域をそのような他の領域から分離するために）選択的に終端させられる、（３）波長変換なしに再生成される、或いは（４）波長変換と共に再生成される。以下に詳細に説明されるように、サブネット、プロテクションスイッチングその他適切な特徴を提供するために、ＥＭＳ１１０は、各波長でそれらの選択肢の１つを実行するように、ｍｕｘ／ｄｅｍｕｘユニット２１４及び／又は信号再生成要素２２０を構築してもよい。
【００６０】
様々な他の実施例によれば、ゲートウエー１４は、光リング１６，１８に対してトラフィックを受動的に付加及び除くように更に準備がなされる。そのような２つの例が以下に説明される。
【００６１】
図４Ｂは、各再生性素子２２０の代わりに、図４Ａのゲートウエー１４で実現される再生成素子２４０を示すブロック図であり、ローカルクライアント又は他の宛先に対してゲートウエー１４を用いてトラフィックを付加及び削除することを可能にする。再生性素子２４０は、スイッチ２３６がスイッチ２４３，２４５で置換されている点を除いて再生成素子２２０と同様である。スイッチ２４３は、トランスポンダ２３２からの光信号をスイッチ２４５に又はローカルクライアント若しくは他の宛先に通知するよう動作し、ローカルクライアント等は、除かれた光トラフィック（矢印２４６で示されるドロップトラフィック）を受信するためにスイッチ２４３に結合された、他の光ネットワーク（図１２−１３に関連して説明される）のようなものである。スイッチ２４５は、スイッチ２４３からの又は光トラフィックを付加する宛先から（矢印２４８で示される付加トラフィック）の光信号を受信するよう動作する。従って、トランスポンダ２３２からの信号は、適切な宛先に落とされ、或いはトランスポンダ２３４に通知される（例えば、波長変換及びリング１６又は１８への返信）。このように、ゲートウエー１４は、トランスポンダ２４２により受信された波長の各々について、その波長で信号を再生成する（及び受動的に波長変換する）或いはその波長で適切な宛先に信号を落とすように構築できる。他の実施例では、落とされた光信号は、再生成されることなしにローカルクライアントに選択的に転送される（信号は、トランスポンダ２３２を通じて転送されることなく、フィルタ２３０からクライアントへ直接的に転送可能である。）。
【００６２】
図４Ｃは、ｍｕｘ／ｄｅｍｕｘユニット２１４各々の代わりに、図４Ａのゲートウエーで実現されるｍｕｘ／ｄｅｍｕｘユニット２５０を示すブロック図であり、ゲートウエー１４を用いてローカルクライアントに対してトラフィック付加及び削除することを可能にする。Ｍｕｘ／ｄｅｍｕｘユニット２５０は、図４に関連して説明されたように、デマルチプレクサ２０６及びマルチプレクサ２０４から構成される。複数のスイッチ２１０の代わりは、各々が２×２スイッチ２５１より成る複数の２×２スイッチ／アッテネータのセットと、可変光アッテネータ（ＶＯＡ）２５２と、光スプリッタ２５３と、光検出器２５５と、コントローラ２５４である。ＶＯＡ２５２は、フィードバックループに基づいて進入信号を指定されたパワーレベルに減衰させ、そのフィードバックループは、信号を取り出す（タップする）スプリッタ２５３と、信号のパワーレベルを検出する光検出器２５５と、検出されたパワーレベルに基づいてＶＯＡ２５４を制御するフィードバックコントローラ２５４とを含む。このように、リングは「交差（クロス）」位置に２×２スイッチを切り替えることで特定の波長／チャネルに開放され、２×２スイッチが「通過（スルー）」位置にある場合の「通過」信号のパワーレベルが調整される。或いは、特定の波長のトラフィックは、スイッチ２５１のドロップリード２５６及び付加リード２５７を通じてリング１６，１８に関して付加及び／又は除去されてもよい。分配／合成要素８０に関して上述したように、これらのリード２５６，２５７は、除かれたトラフィックを受信する受信機及びトラフィックを付加する送信機に結合されてもよい。サブバンドのｍｕｘ／ｄｅｍｕｘユニットが配備されるならば、付加／除去及び／又はパワーレベル制御は、サブバンド毎に実行されてもよい。
【００６３】
図５は、本発明の一実施例による図１の光ネットワーク１０の構成例に関する例示的な光信号を示すブロック図である。例示的な光信号経路は、ＯＵＰＳＲネットワークのようなネットワーク１０の実施例に関する。図５では、参照の便宜のため、上位概念的なＡＤＮ１２及びゲートウエー１４の詳細のみが示されている。図１を参照しながら説明されたように、例示的な光ネットワーク１０は３つのサブネット２０，２２，２４を含む。サブネット２０はＡＤＮ１２ａ，１２ｂを含み、サブネット２２はＡＤＮ１２ｃ，１２ｄを含み、サブネット２４はＡＤＮ１２ｅ，１２ｆを含む。ゲートウエー１４ａはサブネット２０，２２を分割し、ゲートウエー１４ｂはサブネット２２，２４を分割し、ゲートウエー１４ｃはサブネット２４，２０を分割する。これらのノード１２，１４の総ては、以下に説明される「除去及び継続」（ドロップアンドコンティニュー）機能を有する。
【００６４】
図示の例では、３つのトラフィックストリームが示されている。トラフィックストリーム３００は、ＡＤＮ１２ｃから発信し、ＡＤＮ１２ｄ宛てにリング１６上を伝搬する時計回りのストリームである。トラフィック３０２は、ＡＤＮ１２ｃから発信し、ＡＤＮ１２ｄ宛にリング１８上を伝搬する反時計回りのトラフィックである。トラフィックストリーム３０２’は波長変換された後のトラフィックストリーム３０２である。トラフィックストリーム３０２’は、ストリーム３０２と同一内容を含むが、異なる波長／チャネルにおけるものである。ＯＵＰＳＲプロテクションのために、トラフィックストリーム３００，２０２は、ＡＤＮ１２ｄ宛の同一内容を含む。以下に説明されるように、これらの二重のＯＵＰＳＲトラフィックストリームは、適切な環境でストリーム３００及び／又は３０２に関する選択的な再生成及び／又は波長変換の機能を与えるように、ゲートウエー１４を構築することによって実現される。例えば、ストリーム３００及び／又は３０２は、特定の距離を伝搬した後に再生成され、ストリーム３０２は、それが発せられたサブネットを伝搬する際に自身と干渉することを防ぐためにストリーム３０２’に波長変換されてもよい。そのような選択的な再生成及び／又は波長変換は、（必要ならば）比較的長距離にわたるストリーム３００，３０２の伝搬を可能にし、ネットワーク１０における信号の干渉を抑制する。
【００６５】
トラフィック３００は、リング１６に関連する送信機１０４を用いて、ＡＤＮ１２ｃで第１の波長／チャネルλ１で発せられる。ストリーム３００は、リング１６に関連するＡＤＮ１２ｃのカプラ６０により、リング１６上に存在する光信号に加えられる。リング１６にストリーム３００しか示されていないが、他の波長／チャネル（或いは、他のサブネットで同じ波長／チャネルの可能性もある）の他のトラフィックストリームもリング１６を伝搬していることが理解されるべきである。ＡＤＮ１２ｃを出た後に、ストリーム３００はリング１６を通じてＡＤＮ１２ｄに伝搬する。ＡＤＮ１２ｄのカプラ６０は、リング１６上の他の総てのトラフィックと共にストリーム３００を除く。（関連するフィルタ１００を有する）受信機１０２は、ストリーム３００を受信し、適切な場所にそのストリーム内の情報を転送するために使用される。また、ストリーム３００は、ＡＤＮ１２ｄのカプラ６０により転送され、ゲートウエー１４ｂに伝搬する。
【００６６】
ゲートウエー１４ｂのカプラ６０ａは、ＡＤＮ１２ｄから到来するリング１６上のトラフィック（ストリーム３００を含む）を除去すること（言い換えれば、再生成要素２２０にコピーを転送すること）及び転送することの双方を行う。転送されたトラフィックは、ゲートウエー１４ｂのデマルチプレクサ２０６によって、λ１のストリーム３００を含む構成要素の波長／チャネルに分離される。分離されたストリーム３００は、デマルチプレクサ２０６から関連するスイッチ２１０に転送される。スイッチ２１０は、図示の例では、ストリーム３００を終端させるように構築される。ストリーム３００内のトラフィックがＡＤＮ１２ｄ宛であり、そのトラフィックが既に到着しているならば、そのような終端が適切である。カプラ６０ａから除かれたトラフィックに含まれるドロップストリーム３００は、ゲートウエー１４の信号再生成素子２２０に関連するフィルタがλ１を転送しないように構築することによって、同様に終端される。ストリーム３００はサブネット２４，２０に入る前に終端されるので、λ１は、望まれるならば、これらのサブネット内で他のトラフィックに再利用されてもよい。
【００６７】
トラフィックストリーム３０２は、リング１８に関する送信機１０４を用いてＡＤＮ１２ｃにて第２の波長／チャネルλ２で発せられる。λ２を利用することは、区別するための単なる例にすぎない。即ち、リング１６はリング１８から分離しているので、ストリーム３２２はλ１で送信されてもよい（典型的にはそのようにされるかもしれない。）。更に、適切な他の任意の波長／チャネルが送信ストリーム３００，３０２，３０２’に使用されてもよい。ストリーム３０２は、リング１８に関連するＡＤＮ１２ｃのカプラ６０により、リング１８に存在する光信号に加えられる。リング１８にストリーム３０２（及び３０２’）しか示されていないが、他の波長／チャネル（他のサブネットでは同一の波長／チャネルかもしれない）の他のトラフィックストリームがリング１８を伝搬してもよい。ＡＤＮ１２ｃを出た後に、ストリーム３０２はリング１８を通じてゲートウエー１４ａに伝搬する。
【００６８】
ゲートウエー１４ａのカプラ６０ａは、ＡＤＮ１２ｃから到来するリング１８上のトラフィック（ストリーム３０２を含む）の除去及び転送の双方を行う。転送されたトラフィックは、ゲートウエー１４ａのデマルチプレクサにより、λ２のストリームを含む構成要素の波長／チャネルに分離される。分離されたストリーム３０２はデマルチプレクサ２０６から関連するスイッチ２１０に転送される。スイッチ２１０は、図示の例ではストリーム３０２を転送するように構築される。ストリーム３０２内のトラフィックは、そのトラフィックが未だ到達していないＡＤＮ１２ｄ宛であるので、及びストリーム３０２は再生成されることも波長変換されることも要しないので、そのような転送は適切である。図示の例では、ＡＤＮ１２ｃからゲートウエー１４ａまでの距離は、信号再生成を要するほどには大きくないことが仮定されている。転送されたストリーム３０２は、マルチプレクサ２０４を用いて他のデマルチプレクスされたトラフィックと再合成される。カプラ６０ａから除かれたトラフィックに含まれるドロップストリーム３０２は、ゲートウエー１４ａの信号再生成要素２２０に関するフィルタ２３０がλ２を転送しないように構築することで、終端される（何らの再生成も波長変換も必要とされないからである。）。
【００６９】
ストリーム３０２は、他のトラフィックと共に、ＡＤＮ１２ｂ，１２ａを通じてゲートウエー１４ｃに伝搬する。トラフィックストリーム３０２は、これらのノード宛ではないので、ＡＤＮ１２ｂ，１２ａによって除かれるようには描かれていない。しかしながら、ＡＤＮ１２ｂ，１２ａのカプラ６０は、（リング１８上のトラフィックの残りと共に）ストリーム３０２を転送すること及び（他のトラフィックと共に）ストリーム３０２を除くことの双方を行ってもよいことが理解されるべきである。ＡＤＮ１２ｂ，１２ａに関するフィルタ１００は、ストリーム３０２がそれらのノード宛ではないので、上述したようにλ２をフィルタリング（選別）する。或いは、波長は、受信機１０２の電気スイッチによって選別されてもよい。
【００７０】
ゲートウエー１４ｃに到達すると、ゲートウエー１４ｃのカプラ６０ａは、ＡＤＮ１２ａから到来するリング１８上のトラフィック（ストリーム３０２を含む）の除去及び転送の双方を行う。本実施例に関し、ストリーム３０２は、それがその地点に至るまでのリング１８上を伝搬してきた距離に起因して、再生成を要することが仮定されている。従って、カプラ６０ａによって転送されたトラフィックがゲートウエー１４ｃのデマルチプレクサ２０６によって一度分離されると、分離されたλ２のストリーム３０２はスイッチ２１０によって終端される。ストリーム３０２内のトラフィックは、信号再生成要素２２０を用いて再生成され、カプラ６０ｂにてリング１８に再度付加されるので、そのような終端が適切である。
【００７１】
カプラ６０ａで除かれたトラフィックは、リング１８に関連する信号再生成要素２２０に転送される。除かれたトラフィックはスプリッタ２２２により複数の複製物（コピー）に分割され、ストリーム３０２はフィルタ２３０によってトランスポンダ２３２に転送される。そして、ストリーム３０２はトランスポンダ２３２及び／又はトランスポンダ２３４を用いて再生成される（上述したように、特定の実施例では単独のトランスポンダが使用されてもよい。）。図示の例では、この時点で何らの波長変換も実行されない。再生成されたストリーム３０２は、信号生成要素２２０により転送された他の信号と、合成器２２４により合成され、合成された信号は、ｍｕｘ／ｄｅｍｕｘユニと２１４を通じて伝送するトラフィックに、カプラ６０ｂにより付加される。この合成されたトラフィックは、ゲートウエー１４ｃからＡＤＮ１２ｆに通知される。
【００７２】
ストリーム３０２は、他のトラフィックと共に、ゲートウエー１４ｃからＡＤＮ１２ｆ，１２ｅを介してゲートウエー１４ｂに伝搬する。トラフィックストリーム３０２は、ストリーム３０２がこれらのノードに宛てられていないので、ＡＤＮ１２ｆ，１２ｅにより除かれるようには描かれていない。しかしながら、ＡＤＮ１２ｆ，１２ｅのカプラ６０は、（リング１８上のトラフィックの残りと共に）ストリーム３０２を転送すること及び（他のトラフィックと共に）ストリーム３０２を除くことの双方を行ってもよいことが、理解されるべきである。ＡＤＮ１２ｆ，１２ｅに関連するフィルタは、ストリーム３０２がこれらのノード宛でないので、上述したようにλ２をフィルタリングする。
【００７３】
ゲートウエー１４ｂに到達すると、ゲートウエー１４ｂのカプラ６０ａは、ＡＤＮ１２ａから到来するリング１８上のトラフィック（ストリーム３０２を含む）の除去及び転送の双方を行う。サブネット２２内のλ２のストリーム３０２の伝搬は、ＡＤＮ１２ｃから発するλ２のトラフィックと干渉を生じるので、本実施例に関しては、ストリーム３０２はこの地点で波長変換を必要とする。従って、カプラ６０ａにより転送されたトラフィックがゲートウエー１４ｂのデマルチプレクサ２０６により一度分離されると、分離されたλ２のストリーム３０２はスイッチ２１０により終端される。
【００７４】
カプラ６０ａにより除かれたトラフィックは、リング１８に関連する信号再生成要素２２０に転送される。除かれたトラフィックは、スプリッタ２２２により複数の複製物に分割され、ストリーム３０２は、トランスポンダ２３２にλ２が転送されるのを可能にするフィルタ２３０によって、トランスポンダ２３２に転送される。ストリーム３０２はトランスポンダ２３２を用いて再生成され、その波長はトランスポンダ２３４によりλ３に変換される（上述したように、特定の実施例では、単独のトランスポンダが使用されるかもしれない。）。再生成され波長変換されたストリーム３０２’は、信号再生成要素２２０により転送された他の信号と、合成器２２４によって合成され、合成された信号は、カプラ６０ｂによって、ｍｕｘ／ｄｅｍｕｘユニット２１４により転送するトラフィックに付加される。この合成されたトラフィックは、ゲートウエー１４ｂからＡＤＮ１２ｄに通知される。
【００７５】
ＡＤＮ１２ｄのカプラ６０は、（リング１８上の残りと共に）ストリーム３０２’を転送すること及び（他のトラフィックと共に）ストリーム３０２’を除くことの双方を行う。ＡＤＮ１２ｄに関連する１つのフィルタ１００は、ストリーム３０２’がＡＤＮ１２ｄ宛であるので、λ３を転送するように構築される。ストリーム３０２’は、ストリーム３０２’を除く及び選別するＡＤＮ１２ｃに続く。ＡＤＮ１２ｃのカプラ６０は、ストリーム３０２’は現在はλ３なので、ストリーム３２０’を転送するが、ストリーム３０２’がカプラ６０にてＡＤＮ１２ｃから発するλ２のストリーム３０２と合成される際に、何らの干渉も生じさせない。ストリーム３０２’はＡＤＮ１２ｃからゲートウエー１４ａに伝搬する。
【００７６】
ゲートウエー１４ａのカプラ６０ａは、ＡＤＮ１２ｄから到来するリング１８上のトラフィック（ストリーム３０２’を含む）の除去及び転送の双方を行う。転送されたトラフィックは、ゲートウエー１４ｂのデマルチプレクサによって、λ３のストリーム３０２’を含む構成要素の波長／チャネルに分離される。分離されたストリーム３０２’は、デマルチプレクサ２０６から関連するスイッチ２１０に転送される。スイッチ２１０は図示の例ではストリーム３０２’を終端するように構築される。ストリーム３０２’内のトラフィックは、そのトラフィックが既に到達しているＡＤＮｄ宛であるので、そのような終端が適切である。カプラ６０ａから除かれたトラフィックに含まれるドロップストリーム３０２’は、ゲートウエー１４の信号再生成要素２２０ｂに関連するフィルタ２３０が、λ３を転送しないように構築することで、同様に終端される。ストリーム３０２’はサブネット２０，２４に入る前に終端されるので、望まれるならば、λ３は他のこれらのサブネット内で他のトラフィックに再利用されてもよい。
【００７７】
このように、ＯＵＳＰＲ保護機能を、ゲートウエー１４及びＡＤＮ１２の構成によりネットワーク１０内に提供することができる。この保護機能は、発信源から宛先までリング１６上で時計回りに伝搬するトラフィックストリーム３００と、リング１８上で反時計回りに伝搬する、第１のトラフィックストリーム３００と同一情報を含むトラフィックストリーム３０２，３０２’とを用意することによって、実現される。故障又は他の不具合がリング１６及び／又は１８でたとえ生じたとしても、情報は宛先に到達可能であるので、保護機能が提供される。例えば、リング１６，１８がＡＤＮ１２ｃ，１２ｄの間で壊れた場合に、トラフィックストリーム３００はＡＤＮ１２ｄに到達しないであろう。しかしながら、トラフィックストリーム３０２’はＡＤＮ１２ｄに到達し、こうしてトラフィックプロテクション機能が提供される。ネットワーク１０の故障又は他の場所の他の不具合も同様に取り扱われてもよいことが、理解されるであろう。更に、図５に説明されるＯＵＰＳＲネットワークの実施例は、２つのＡＤＮ１２をそれぞれが有する３つのサブネットを含んでいるが、ＡＤＮ１２、ゲートウエー１４及びサブネットの適切な任意数のものが使用されてもよい。各ゲートウエー１４は、トラフィックのソース及び宛先に依存して、到来するチャネルの各々におけるトラフィックを、少なくとも終端し、選択的に通過させ、再生成し、又は再生成及び波長変換するように構築されてもよい。更に、単独のゲートウエー１４は、以下に説明されるように、何らのサブネットも有しないネットワークにおけるハブノードとして使用されてもよい。
【００７８】
図６は、本発明の別の実施例による図１の光ネットワーク３１０における例示的な光信号を示すブロック図である。これらの光経路の例は、ＯＵＰＳＲネットワークのようなネットワーク３１０の実施例に関する。ネットワーク３１０は、ハブノードとして動作する複数のＡＤＮ１２及び単独のゲートウエー１４を含む。従って、ネットワーク３１０は複数のサブネットを形成しない。図６では、参照の便宜を図るため、上位概念的なＡＤＮ１２及びゲートウエー１４のみが描かれている。
【００７９】
図示の例では、３つのトラフィックストリームが示されている。トラフィックストリーム３２０は、ＡＤＮ１２ａから発信し、ＡＤＮ１２ｂ宛にリング１６上を伝搬する時計回りのストリームである。トラフィックストリーム３２２は、ＡＤＮ１２ａから発信し、ＡＤＮ１２ｂ宛にリング１８上を伝搬する反時計回りのストリームである。トラフィックストリーム３２２’は、波長変換後のトラフィックストリーム３２２である。虎ｆｉ区ストリーム３２２’は、ストリーム３２２と同一内容を含むが、異なる波長／チャネルにおけるものである。ＯＵＰＳＲプロテクションのために、トラフィックストリーム３２０，３２２は、ＡＤＮ１２ｂ宛の同一内容を含む。以下に説明されるように、これらの二重のＯＵＰＳＲトラフィックストリームは、ネットワーク３１０内での干渉を避けるように、ゲートウエー１４がストリーム３０２の波長変換機能を提供するように構築することで実現される。
【００８０】
トラフィックストリーム３２０は、リング１６に関する送信機１０４を用いて、ＡＤＮ１２ａにて第１の波長／チャネルλ１で発せられる。ストリーム３２０は、リング１６に関連するＡＤＮ１２ａのカプラ６０によりリング１６上に存在する光信号に加えられる。リング１６にストリーム３２０しが描かれていないが、他の波長／チャネルの他のトラフィックストリームもリング１６を伝搬していることが理解されるべきである。ＡＤＮ１２ａを出ると、ストリーム３２０はリング１６を通じてＡＤＮ１２ｄに伝搬する。ＡＤＮ１２ｂのカプラ６０は、リング１６上の他の総てのトラフィックと共にストリーム３２０を除去する。受信機１０２は、（例えば、附随するフィルタを用いて）ストリーム３２０を受信し、（例えば、ＡＤＮ１２ｂのクライアントのような）適切なロケーションにそのストリームの内容を通知するために使用される。ストリーム３２０は、ＡＤＮ１２ｂのカプラ６０により転送され、ゲートウエー１４に伝搬する。
【００８１】
ゲートウエー１４のカプラ６０ａは、（ストリーム３２０を含む）ＡＤＮ１２ｂから到来するリング１６上のトラフィックの除去及び転送の双方を行う。転送された虎ｆｉ区は、ゲートウエー１４のデマルチプレクサ２０６によって、λ１のストリーム３２０を含む構成要素の波長／チャネルに分離される。分離されたストリーム３２０はデマルチプレクサ２０６から関連するスイッチ２１０に転送される。スイッチ２１０は、図示の例では、ストリーム３２０を終端するように構築される。ストリーム３２０内のトラフィックは、そのトラフィックが既に到達しているＡＤＮ１２ｂ宛なので、そのような終端が相応しい。カプラ６０ａから除かれたトラフィックに含まれているドロップストリーム３２０は、λ１を転送しないように、ゲートウエー１４の信号再生成要素２２０に関連するフィルタ２３０を構築することで、同様に終端される。
【００８２】
トラフィックストリーム３２２は、リング１８に関連する送信機１０４を用いて、ＡＤＮ１２ａにて第２の波長／チャネルλ２で発信される。λ２を利用するのは、単なる例であって区別するために使用されるに過ぎない。即ち、リング１６はリング１８と分離しているので、ストリーム３２２はλ１で送信されてもよい（典型的にはそのようにされるかもしれない。）。更に、他の適切な波長／チャネルが、ストリーム３２０，３２２’及び３２２’に使用されてもよい。ストリーム３２２は、リング１８に関連するＡＤＮ１２ａのカプラ６０によってリング１８上に存在する光信号に加えられる。リング１８にストリーム３２２（及び３２２’）しか示されていないが、他の波長／チャネルの他のトラフィックストリームがリング１８を伝搬していることが理解されるべきである。ＡＤＮ１２ａを出ると、ストリーム３２２はリング１８を通じてＡＤＮ１２ｈに伝搬する。
【００８３】
ストリーム３２２は、他のトラフィックと共に、ＡＤＮ１２ｈ，１２ｇ，１２ｆ，１２ｅ，１２ｄ及び１２ｃを介してゲートウエー１４に伝搬する。トラフィック３２２はこれらのノード宛でないので、トラフィック３２２はＡＤＮ１２ｈ，１２ｇ，１２ｆ，１２ｅ，１２ｄ，１２ｃによって除かれるようには描かれていない。しかしながら、これらＡＤＮの各々のカプラ６０は、（リング１８上のトラフィックの残りと共に）ストリーム３２２を転送すること、及び（他のトラフィックと共に）ストリーム３２２を除くことの双方を行ってもよいことが、理解されるであろう。ストリーム３２２はこれらのノード宛でないので、これらのＡＤＮの各々に関連するフィルタ１００は、上述したように、λ２をフィルタリングする。
【００８４】
ゲートウエー１４に到達すると、ゲートウエー１４のカプラ６０ａは、ＡＤＮ１２ｃから到来するリング１８上のトラフィック（ストリーム３２２を含む）の除去及び転送の双方を行う。本実施例に関し、ゲートウエー１４を介するλ２のストリーム３２２の伝搬は、ＡＤＮ１２ａから生じるλ２のトラフィックと干渉を生じるので、ストリーム３２２はこの地点で波長変換を要する。従って、カプラ６０ａにより転送されたトラフィックが、ゲートウエー１４のデマルチプレクサ２０６により一度分離されると、分離されたλ２のストリーム３２２はスイッチ２１０によって終端される。
【００８５】
カプラ６０ａによって除かれたトラフィックは、リング１８に関する信号再生成要素２２０に転送される。除かれたトラフィックは、スプリッタ２２２により複数のコピーに分割され、ストリーム３２２はλ２を選択するフィルタ２３０によってトランスポンダ２３２に転送される。ストリーム３２２は、トランスポンダ２３２を用いて再生成され、その波長はトランスポンダ２３４によりλ３に変換される（上述したように、特定の実施例では、単独のトランスポンダが使用されるかもしれない。）。再生成され波長変換されたストリーム３２２’は、合成器２２４により、信号再生成要素２２０を通過した他の信号と合成され、合成された信号は、カプラ６０ｂにより、ｍｕｘ／ｄｅｍｕｘユニット２１４を通じて伝搬するトラフィックに加えられる。合成されたトラフィックは、ゲートウエー１４からその宛先のＡＤＮ１２ｂに通知される。
【００８６】
ＡＤＮ１２ｂのカプラ６０は、（リング１８上の残りのトラフィックと共に）ストリーム３２２’を転送すること及び（他のトラフィックと共に）ストリーム３２２’を除くことの双方を行う。ストリーム３２２’はＡＤＮ１２ｂ宛でないので、ＡＤＮ１２ｂに関連する１つのフィルタ１００は、λ３を通過させる。また、ストリーム３２２’は、ストリームを除く及び選別するＡＤＮ１２ａに続く。ストリーム３２２’は現在はλ３なので、ストリーム３２２’が、ＡＤＮ１２ａから発するλ２のストリーム３２２と合成される場合に、何らの干渉も生じない。ストリーム３２２’はＡＤＮ１２ａからＡＤＮ１２ｈに伝搬する。
【００８７】
ストリーム３２２と同様に、ストリーム３２２’は、他のトラフィックと共に、ＡＤＮ１２ｈ，１２ｇ，１２ｆ，１２ｅ，１２ｄ及び１２ｃを通じてゲートウエー１４に伝搬する。ストリーム３２２’はこれらのノード宛でないので、トラフィック３２２’は、ＡＤＮ１２ｈ，１２ｇ，１２ｆ，１２ｅ，１２ｄ及び１２ｃによって除かれるようには描かれていない。しかしながら、これらＡＤＮ各々のカプラ６０は、（リング１８上の残りのトラフィックと共に）ストリーム３２２’を転送すること及び（他のトラフィックと共に）ストリーム３２２’を除くことの双方を行ってもよいことが、理解されるべきである。ストリーム３２２’はこれらのノード宛でないので、上述したように、これらのＡＤＮ各々に関連するフィルタ１００はλ３をフィルタリングする。
【００８８】
ストリーム３２２と同様に、ゲートウエー１４のカプラ６０ａは、ストリーム３２２’の削除及び転送の双方を行う。転送されたストリーム３２２’は、デマルチプレクサ２０６で分離された後にスイッチ２１０によって終端される。ストリーム３２２’内のトラフィックは、トラフィックが既に到達しているＡＤＮ１２ｂ宛であるので、及びストリーム３２２’の更なる伝搬はゲートウエー１４から発するストリーム３２２’と干渉を生じるかもしれないので、そのような終端が相応しい。カプラ６０ａから除かれたトラフィックに含まれるドロップストリーム３２２’は、λ３を通過させないように、ゲートウエー１４の信号再生成要素２２０に関連するフィルタを構築することによって、同様に終端される。従って、干渉が回避される。
【００８９】
このようにして、ＯＵＳＰＲプロテクション機能を、ゲートウエー１４及びＡＤＮ１２の構成によりネットワーク３１０に提供することができる。このプロテクション機能は、一実施例では、発信源から宛先へリング１６上を時計回りに伝搬するトラフィックストリーム３２０と、リング１８上を反時計回りに伝搬する、第１のトラフィックストリーム３２０と同一内容を含むトラフィックストリーム３２２，３２２’とを用意することによって実現される。従って、たとえ１以上のロケーションでリング１６又は１８における故障又は他の不具合が生じたとしても、その内容は宛先に到達可能であるので、プロテクション機能が提供される。例えば、リング１６，１８がＡＤＮ１２ａ及び１２ｂ間で壊れた場合に、トラフィックストリーム３２０はＡＤＮ１２ｂに到達しないであろう。しかし、トラフィック３２２’はＡＤＮ１２ｂに到達するので、トラフィックプロテクション機能が提供される。ネットワーク１０における故障又は他の不具合も同様に取り扱われてもよいことが理解されるであろう。
【００９０】
図７は、本発明の特定の実施例によるＯＵＰＳＲプロテクション機能を与える光ネットワークにおけるトラフィック送信の方法例を示す。本方法はステップ４００から始まり、ネットワークの１以上のゲートウエー１４は、ネットワークの光リングで情報が伝送される複数の波長／チャネルの各々における信号を、終端させる、選択的に通過させる、再生成する又は再生成及び波長変換するように構築される。上述したように、そのような態様は、特定の波長／チャネルのソース及び宛先のノードに関する、ゲートウエー１４の各波長／チャネル及び場所における情報の発信源及び宛先に依存する。
【００９１】
ステップ４０２では、トラフィックは複数のＡＤＮ１２（それらが付加／削除ノードとして機能するならば、ゲートウエー１４にすることもできる）の各々における光リングに対して受動的に付加及び削除される。トラフィックは、様々なノードに宛てられた内容であって、様々な波長／チャネルでリング内で伝送される内容より成る。上述したように、同一内容が双方のリングでソースノードから送信される。単なる例として図５に示されるように、ＡＤＮ１２ｃからの情報は、リング１６上のストリーム３２０により及びリング１８上のストリーム３２２によりＡＤＮ１２ｄに送信される。
【００９２】
ステップ４０４では、宛先ノードに到達したこれらのトラフィックチャネルは、そのリングに沿う適切なゲートウエー１４で終端される。一実施例では、そのような終端は、１以上のゲートウエー１４のスイッチにて行われ、ゲートウエー１４がネットワーク内のサブネットの境界を形成するようにする。例として、図５に示されるように、ＡＤＮ１２ｃから発信し、ＡＤＮ１２ｄに宛てられたトラフィック３２０は、その宛先に到達済みであるので、ゲートウエー１４ｂにて終端される。
【００９３】
ステップ４０６では、それらの宛先ノードに達していないトラフィックストリームが、ゲートウエー１４を通じて転送され、その宛先ノードに到達可能にする。各ゲートウエー１４の構成に依存して、そのように転送されたトラフィックは、選択的にゲートウエー１４を通過し、ゲートウエー１４により再生成され、或いはゲートウエー１４により再生成及び波長変換される。図５の例では、ストリーム３２２は選択的にゲートウエー１４ａを通過し、ゲートウエー１４ｃで再生成され、ゲートウエー１４ｂで再生成及び波長変換される。一旦トラフィックがネットワーク１０に付加されると、本方法は終了する。様々な波長／チャネルは、それらのソース及び発信源に依存して、異なる時間に異なる場所で付加され、除かれ、終端され及び転送されるので、本方法例のステップはいかなる順序で行われてもよく、及び／又は同時に行われてもよいことが、理解されるべきである。
【００９４】
図８は、本発明の別の実施例による図１の光ネットワーク１０の構築例の例示的な光信号を示すブロック図である。これらの例示的な光信号は、ＯＳＰＰＲネットワークのようなネットワーク１０の実施例に関連する。図８では、参照の簡便化のため、ＡＤＮ１２及びゲートウエー１４の上位概念的な詳細のみが示されている。図１に関して説明したように、例示的な光ネットワーク１０は３つのサブネット２０，２２，２４を含む。サブネット２０はＡＤＮ１２ａ，１２ｂを含み、サブネット２２はＡＤＮ１２ｃ，１２ｄを含み、サブネット２４はＡＤＮ１２ｅ，１２ｆを含む。ゲートウエー１４ａはサブネット２０，２２を分け、ゲートウエー１４ｂはサブネット２２，２４を分け、ゲートウエー１４ｃはサブネット２４，２０を分ける。
【００９５】
図示の例では、いくつかのトラフィックストリームが示されている。それらのいくつかのストリームは、先取り又はプリエンプタブル（ｐｒｅｅｍｐｔａｂｌｅ）信号（又はプロテクションチャネルアクセス（ＰＣＡ）ストリーム）及び保護された（ワーク）信号より成る。プリエンプタブル信号は、他の信号に対する保護を行うために終端される信号である。保護信号は、保護がなされる信号である。保護されたストリームを宛先ノードに届かなくする回線切断や他の中段事由の際に、１以上のプリエンプタブルストリームが終端され、プリエンプタブルストリームの代わりに保護トラフィックが伝送されることを可能にする。中断が復旧すると、ネットワークは中断以前の状態に戻る。一実施例では、プロテクション切替可能トラフィックは、プリエンプタブルトラフィックよりも高い優先度を有するが；しかし、他の実施例では、トラフィックストリームの保護及びプリエンプタブルの部分への別の分割が適切である又は望まれるかもしれないことは、理解されるであろう。
【００９６】
図８を参照するに、通常の動作中は、保護されたトラフィックストリーム５０２，５０４，５０６が、サブネット２０，２２，２４の各々において時計回りにリング１６を伝搬する。トラフィックストリーム５０２はＡＤＮ１２ｃから発信してＡＤＮ１２ｄに宛てられた時計回りのストリームであり、トラフィックストリーム５０４はＡＤＮ１２ｅから発信してゲートウエー１４ｃに宛てられた時計回りのストリームであり、トラフィックストリーム５０６はＡＤＮ１２ａから発信してＡＤＮ１２ｂに宛てられた時計回りのストリームである。図示の例では、保護されたトラフィックストリーム５０２，５０４，５０６は、各サブネットで同一の周波数（例えば、λ１）で送信される。プリエンプタブルトラフィックストリーム５０８，５１０もλ１で反時計回りでリング１８内に送信される。トラフィックストリーム５０８はＡＤＮ１２ａから発信してＡＤＮ１２ｅに宛てられた反時計回りのストリームであり、トラフィックストリーム５１０はＡＤＮ１２ｄから発信してＡＤＮ１２ｃに宛てられた反時計回りのストリームである。図９に示されるように、ストリーム５０８，５１０は、より高い優先度のストリームを保護するために、プロテクションスイッチングの間は中断される。
【００９７】
例示的に単独の波長のトラフィックが示されているが、保護トラフィック及びプリエンプタブルトラフィックは、リング１６，１８内で他の多様な波長／チャネルで送信されてもよいことが理解されるであろう。更に、保護トラフィックはプリエンプタブルトラフィックと同じ波長で（別のリングで）送信されるように示されるが、様々な他の態様が実現されてもよい。単なる例として、ワークトラフィックは、奇数番号のチャネルリング１６で送信され、リング１８では偶数番号のチャネルで送信されてもよい。プリエンプタブルトラフィックは、偶数番号のチャネルでリング１６内で送信され、リング１８では奇数番号のチャネルで送信されてもよい。適切ないかなる他の態様が使用されてもよい。
【００９８】
プロテクトされたトラフィックストリーム５０２は、リング１６に関する送信機１０４を用いてＡＤＮ１２ｃにて第１の波長λ１で発信される。ストリーム５０２は、リング１６に関連するＡＤＮ１２ｃのカプラ６０によってリング１６に存在する光信号に加えられる。ＡＤＮ１２ｃを出ると、ストリーム５０２はリング１６を通じてＡＤＮ１２ｄに伝搬する。ＡＤＮ１２ｄのカプラ６０は、リング１６上で他の総てのトラフィックと共にストリーム５０２を除く。受信機１０２は、ストリーム５０２を受信し、そのストリーム内の情報を適切なロケーションに通知するために使用される。ストリーム５０２はＡＤＮ１２ｄのカプラ６０によって転送され、ゲートウエー１４に伝搬する。
【００９９】
ゲートウエー１４ｂのカプラ６０ａは、ＡＤＮ１２ｄから到来するリング１６上のトラフィック（ストリーム５０２を含む）の削除及び転送の双方を行う。転送されたトラフィックは、ゲートウエー１４ｂのデマルチプレクサ２０６によって、λ１のストリーム５０２を含む構成要素の波長／チャネルに分離される。分離されたストリーム５０２は、デマルチプレクサ２０６から関連するスイッチ２１０へ転送される。スイッチ２１０は、図示の例ではストリーム５０２を終端するように構築される。ストリーム５０２内のトラフィックは、そのトラフィックが既に到達しているＡＤＮ１２ｄ宛であるので、そのような終端が相応しい。カプラ６０ａから除かれたトラフィックに含まれているドロップストリーム５０２は、λ１を転送しないように、ゲートウエー１４ｂの信号再生成要素２２０に関連するフィルタを構築することで、同様に終端される。ストリーム５０２はサブネット２４，２０に入る前に終端されるので、λ１はそれらのサブネット内でストリーム５４０，５０６に再利用されてもよい。
【０１００】
プロテクトされたトラフィックストリーム５０４は、リング１６に関する送信機１０４３を用いてＡＤＮ１２ｅにて波長λ１で発信される。ストリーム５０４は、リング１６に関連するＡＤＮ１２ｅのカプラ６０によってリング１６上に存在する光信号に加えられる。ストリーム５０４は、他のトラフィックと共に、ＡＤＮ１２ｆを通じてＡＤＮ１２ｅからゲートウエー１４ｃに伝搬する。トラフィックストリーム５０４は、ストリーム５０４がそのノード宛ではないので、ＡＤＮ１２ｆによって除かれるようには描かれていない。しかしながら、ＡＤＮ１２ｆのカプラ６０は、リング１６上の残りのトラフィックと共に）ストリーム５０４を転送し、（他のトラフィックと共に）ストリーム５０４を除いてもよいことが、理解されるべきである。ストリーム５０４はそのノード宛ではないので、ＡＤＮ１２ｆに関するフィルタ１００はλ１を選別する。
【０１０１】
ゲートウエー１４ｃに達すると、ゲートウエー１４ｃのカプラ６０ａは、ＡＤＮ１２ｆから到来するリング１６上のトラフィック（ストリーム５０４を含む）の除去及び転送の双方を行う。ストリーム５０４はゲートウエイ１４ｃ宛であるので（この例では、ゲートウエー１４ｃは、上述したように、付加／削除ノードの要素を含む。）、カプラ６０ａにより転送されたトラフィックがゲートウエー１４ｃのデマルチプレクサ２０６により一度分離されると、分離されたλ１のストリーム５０４はスイッチ２１０によって終端される。カプラ６０ａによって除かれたトラフィックは、受信機２３２に（例えば、分配／合成要素２２２及びフィルタ２３０を通じて）転送され、その受信機は、ストリーム５０４を受信し、ストリームの内容を適切なロケーション（例えば、ゲートウエー１４ｃに結等されたクライアント）に通知するために使用される。
【０１０２】
プロテクトされたトラフィックストリーム５０６は、リング１６に関連する送信機１０４を用いて、ＡＤＮ１２ａにて波長λ１で発信される。ストリーム５０６は、リング１６に関連するＡＤＮ１２ａのカプラ６０によって、リング１６に存在する光信号に加えられる。ＡＤＮ１２ａを出ると、ストリーム５０６はリング１６を通じてＡＤＮ１２ｂに伝搬する。ＡＤＮ１２ｂのカプラ６０は、リング１６上の他の総てのトラフィックと共にストリーム５０６を除く。受信機１０２は、ストリーム５０６を受信し、ストリーム内の内容をＡＤＮ１２ｂの適切なクライアントに通知するために使用される。ストリーム５０６はＡＤＮ１２ｂのカプラ６０によって転送され、ゲートウエー１４ａに伝搬する。
【０１０３】
ゲートウエー１４ａのカプラ６０ａは、ＡＤＮ１２ｂから到来するリング１６上のトラフィック（ストリーム５０６を含む）の除去及び転送の双方を行う。転送されたトラフィックは、ゲートウエー１４ａのデマルチプレクサ２０６によって、λ１のストリーム５０６を含む構成要素の波長／チャネルに分離する。分離されたストリーム５０６は、デマルチプレクサ２０６から関連するスイッチ２１０に転送される。スイッチ２１０は図示の例ではストリーム５０６を終端するように構築される。ストリーム５０６内のトラフィックは、そのトラフィックが既に到達しているＡＤＮ１２ｂ宛であるので、そのような終端が適切である。カプラ６０ａから除かれたトラフィックに含まれているドロップストリーム５０６は、λ１を転送しないように、ゲートウエー１４ａの信号再生成要素２２０に関連するフィルタ２３０を構築することで、同様に終端される。ストリーム５０６はサブネット２２，２４に入る前に終端されるので、λ１はそれらのサブネット内でストリーム５０２，５０４に再利用されてもよい。
【０１０４】
プリエンプタブルトラフィックストリーム５０８は、リング１８に関連する送信機１０４を用いて、ＡＤＮ１２ａにて第１の波長λ１で発信される。ストリーム５０８は、リング１８に関連するＡＤＮ１２ａのカプラ６０によって、リング１８上に存在する光信号に加えられる。ＡＤＮ１２ａを出た後に、ストリーム５０８はリング１８を通じてゲートウエー１４ｃに伝搬する。
【０１０５】
ゲートウエー１４ｃのカプラ６０ａは、ＡＤＮ１２ａから到来するリング１８上のトラフィック（ストリーム５０８を含む）の除去及び転送の双方を行う。転送されるトラフィックは、ゲートウエー１４ｃのデマルチプレクサ２０６によって、ストリーム５０８を含む構成要素の波長／チャネルに分離される。分離されたストリーム５０８はデマルチプレクサ２０６から、そこを通じて転送する関連するスイッチ２１０に転送される。ストリーム５０８内のトラフィックは、そのトラフィックが未到達のＡＤＮ１２ｅ宛であるので、及びストリームは再生成されることを要しないことが仮定されているので（必要であれば、再生成がなされ得る。）、そのような転送が相応しい。転送されたストリーム５０８は、マルチプレクサ２０４を用いて他のデマルチプレクスされたトラフィックと再度合成される。カプラ６０ａにより除かれたトラフィックに含まれているドロップストリーム５０８は、信号再生成要素２２０にて選別される。
【０１０６】
ストリーム５０８は、他のトラフィックと共に、ＡＤＮ１２ｆを通じてゲートウエー１４ｃからＡＤＮ１２ｅに伝搬する。ＡＤＮ１２ｅのカプラ６０は、リング１８の他の総てのトラフィックと共に、ストリーム５０８を除く。受信機１０２は、ストリーム５０８を受信するために、及びそのストリーム内の情報を適切なロケーションに通知するために使用される。ストリーム５０８は、ＡＤＮ１２ｅのカプラ６０によって転送され、ゲートウエー１４ｂに伝搬し、（宛先に到達しているので）そこでそれは終端される。
【０１０７】
プリエンプタブルトラフィックストリーム５１０は、リング１８に関連する送信機１０４を用いてＡＤＮ１２ｄにて波長λ１で発信される。ストリーム５１０は、リング１８に関連するＡＤＮ１２ｄのカプラ６０によって、リング１８上に存在する光信号に加えられる。ＡＤＮ１２ｄを出た後に、ストリーム５１０はリング１８を通じてＡＤＮ１２ｃに伝搬する。ＡＤＮ１２ｃのカプラ６０は、リング１８上の他の総てのトラフィックと共に、ストリーム５１０を除く。受信機１０２は、ストリーム５１０を受信するため、及びそのストリームの情報を適切なクライアントに通知するために使用される。ストリーム５１０は、ＡＤＮ１２ｃのカプラ６０によって転送され、ゲートウエー１４ａに伝搬し、（宛先に到達済みなので）そこで終端される。
【０１０８】
従って、サブネットを提供するためにゲートウエー１４を利用することで、リング１６，１８は、同じ波長を用いて異なるサブネット内で異なる情報を通信するために使用される。更に、このトラフィックの一部（上記の例では、リング１８上のトラフィック）はプリエンプタブルであるので、以下に説明されるように、リング１６及び／又はリング１８で不具合が生じた際に、ＯＳＰＰＲプロテクションが実現可能である。
【０１０９】
図９は、本発明の一実施例による図８のトラフィックストリームのプロテクションスイッチング及び光経路プロテクションを示すブロック図である。回線遮断又は他の中断事由の際に、中断により宛先ノードに至ることが妨げられた保護チャネルのために、代替的な光経路が作成される。代替的な光経路が、同一チャネルのプリエンプタブルトラフィックにより干渉を起こす場合には、そのプリエンプタブルトラフィックは終端される。図示の例では、プリエンプタブルトラフィックストリーム５０８，５１０は、（λ１のそれらのトラフィックはプロテクション経路内にあるので）リング１８上で代替的な光経路を与えるように終端される必要がある。しかしながら、前述したように、本発明の範囲から逸脱せずに、トラフィックの他の分割が使用されてもよいことは、理解されるであろう。
【０１１０】
図示の例では、回線切断５２０は、トラフィックストリーム５０２がリング１６を辻手宛先ノード（ＡＤＮ１２ｄ）に至ることを妨げている。この不具合は、１以上のノード又はネットワーク１０内の他の装置によって検出され、ＮＭＳ１２６に報告されてもよい。ＮＭＳ１２６は、この例のＯＰＳＳＲプロテクションスイッチングプロトコルに従って、プロテクショントラフィックようにリング１８でのλ１の使用を解放するために、プリエンプタブルトラフィックストリーム５０８，５１０の終端を指示してもよい。プリエンプタブルトラフィックストリームが終端された後で、ＮＭＳ１２６は、リング１６に変えて又はそれに加えてリング１８を通じてストリーム内の内容を伝送し始めるように、ＡＤＮ１２ｃに指示してもよい。
【０１１１】
ストリーム５０２の内容を含むこの新たなプロテクションストリーム５１２は、リング１８に関する送信機１０４を用いて、ＡＤＮ１２ｃにて波長λ１で発信される（他の実施例では、単独の送信機がリング１６，１８の双方で同一の信号を送信してもよい。）。ストリーム５１２は、リング１８に関連するＡＤＮ１２ｃのカプラ６０によって、リング１８上に存在する光信号に加えられる。ＡＤＮ１２ｃを出た後に、ストリーム５１２はリング１８を通じてゲートウエー１４ａに伝搬する。ゲートウエー１４ａのカプラ６０ａは、ＡＤＮ１２ｂから到来するリング１８上のトラフィック（ストリーム５１２を含む）の削除及び転送の双方を行う。転送されたトラフィックは、ゲートウエー１４ａのデマルチプレクサ２０６によって、λ１のストリーム５１２を含む構成要素の波長／チャネルに分離される。分離されたストリーム５１２は、デマルチプレクサ２０６から関連するスイッチ２１０に転送される。スイッチ２１０は図示の例ではストリーム５１２を転送するように構成される、なぜならそれはＡＤＮ１２ｄ宛だからである（及びストリーム５１２は、図示の例ではＡＤＮ１２ｃからゲートウエー１４ａに至るまでの距離が信号再生成を要するほど大きくないので、その地点では再生成されることも波著変換されることも要しないからである。）。転送されたストリーム５１２は、マルチプレクサ２０４を用いて、分離された他のトラフィックと再合成される。カプラ６０ａから除かれたトラフィックに含まれるドロップストリーム５１２は、λ１を転送しないように、ゲートウエー１４ａの関連する信号再生性素子２２０に関連するフィルタ２３０を構成することで、終端される（何らの再生成も波長変換も必要とされないからである。）。
【０１１２】
ストリーム５１２は、他のトラフィックと共に、ＡＤＮ１２ｂ，１２ａを通じてゲートウエー１４ａからゲートウエー１４ｃに伝搬する。トラフィックストリーム５１２は、トラフィックストリーム５１２がこれらのノードに宛てられていないので、ＡＤＮ１２ｂ，１２ａによって除かれるようには描かれていない。しかしながら、ＡＤＮ１２ｂ，１２ａのカプラ６０は、（リング１８の残りのトラフィックと共に）ストリーム５１２を転送すること及び（他のトラフィックと共に）ストリーム５１２を除くことの双方を行ってもよいことが、理解されるべきである。ＡＤＮ１２ｂ，１２ａに関するフィルタは、λ１を選別する。
【０１１３】
ゲートウエー１４ｃに到達すると、ゲートウエー１４ｃのカプラ６０ａは、ＡＤＮ１２ａから到来するリング１８上のトラフィック（ストリーム５１２を含む）の除去及び付加の双方を行う。本実施例に関し、ストリーム５１２は、それがリング１８上を伝搬してきた距離に起因して、この地点で再生成されることを要する。従って、カプラ６０ａにより転送されたトラフィックがゲートウエー１４ｃのデマルチプレクサ２０６により一度分離されると、分離されたλ１のストリーム５１２はスイッチ２１０により終端される。
【０１１４】
カプラ６０ａにより除かれたトラフィックは、リング１８に関連する信号再生成素子２２０に転送される。除かれたトラフィックは、スプリッタ２２２により複数の複製物に分割され、ストリーム５１２はフィルタ２３０によってトランスポンダ２３２に転送される。ストリーム５１２は、トランスポンダ２３２及び／又はトランスポンダ２３４を用いて再生成される（上述したように、特定の実施例では、単独のトランスポンダが使用されるかもしれない。）。図示の例では、この地点で、何らの波長変換も実行されない。生成されたストリーム５１２は、合成器２２４によって、信号再生成要素２２０を通過した他の信号と合成され、合成された信号は、カプラ６０ｂによってｍｕｘ／ｄｅｍｕｘユニット２１４を通じて伝搬するトラフィックに加えられる。この合成されたトラフィックはゲートウエー１４ｃからＡＤＮ１２ｆに通知される。ストリーム５１２は、他のトラフィックと共に、ＡＤＮ１２ｆ，１２ｅを通じてゲートウエー１４ｃからゲートウエー１４ｂに伝搬する。
【０１１５】
ゲートウエー１４ｂに到達すると、ゲートウエー１４ｂのカプラ６０ａは、ＡＤＮ１２ｅから到来するリング１８上のトラフィック（ストリーム５１２を含む）の除去及び転送の双方を行う。本実施例に関し、ストリーム５１２は、この地点で波長変換を必要とし、なぜなら、λ１のストリーム５１２がサブネット２２内に伝搬すると、ＡＤＮ１２ｃから発するλ１のトラフィックと干渉を引き起こすからである。従って、カプラ６０ａにより転送されたトラフィックがゲートウエー１４ｂのデマルチプレクサ２０６により一度分離されると、分離されたλ１のストリーム５１２はスイッチ２１０で終端される。
【０１１６】
カプラ６０ａで除かれたトラフィックは、リング１８に関連する信号再生成要素２２０に転送される。除かれたトラフィックはスプリッタ２２２により複数のコピーに分割され、ストリーム５１２はフィルタ２３０によりトランスポンダ２３２に転送される。トランスポンダ２３２及び／又は２３４を用いて、ストリーム５１２はその後に再生成され、第２の波長λ２に変換される。再生成及び波長変換されたストリーム５１２’は、合成器２２４により、信号再生成要素２２０を通過した他の信号と合成され、合成された信号は、カプラ６０ｂにより、ｍｕｘ／ｄｅｍｕｘユニット２１４を通過するトラフィックに加えられる。この合成されたトラフィックは、ゲートウエー１４ｂからＡＤＮ１２ｄに通知される。
【０１１７】
ＡＤＮ１２ｄのカプラ６０は、（リング１８上の残りのトラフィックと共に）ストリーム５１２’を転送すること及び（他のトラフィックと共に）ストリーム５１２’を除くことの双方を行う。ストリーム５１２’はＡＤＮ１２ｄ宛であるので、ＡＤＮ１２ｄに関連する１つのフィルタ１００はλ２を転送し、受信機１０２波、ストリーム５１２’を受信するように及びそのストリームの内容を適切なロケーションに通知するように使用される。従って、回線遮断５２０に起因して、ストリーム５０２によりＡＤＮ１２ｄに到達できなくなった内容（コンテンツ）が、ストリーム５１２／５１２’によりＡＤＮ１２ｄに到達できるようになる。
【０１１８】
ストリーム５１２’は、ストリーム５１２’を選別ではなく除くＡＤＮ１２ｃに続く。ストリーム５１２’は現在はλ２であるので、ストリーム５１２’が、ＡＤＮ１２ｃからλ１で発っせられたストリーム５１２と合成される場合には、もはや何らの干渉も引き起こさない。ストリーム５１２’は以後ＡＤＮ１２ｃから、ストリーム５２１’を終端するゲートウエー１４ａに伝搬する。このように、ＡＤＮ１２ｃからＡＤＮ１２ｄへの代替的な経路は、他のトラフィックと干渉を引き起こさずに形成される。別の例では、ストリーム５１２はゲートウエー１４ａで波長変換され、トラフィックストリーム５０８が先取りされないようにする。
【０１１９】
回線切断の復旧後に、ネットワークは図８に示されるプロテクションスイッチング前の状態に戻される。特に、プロテクショントラフィックストリーム５１２，５１２’は終端され、プロテクトされたトラフィックストリーム５０２が（終端されていなければ）再開され、プリエンプタブルトラフィックストリーム５０８，５１０が再開される。
【０１２０】
図１０は、本発明の特定の実施例によるＯＳＰＰＲプロテクション機能を与える光ネットワークにおけるトラフィックを送信する方法例を示す。本方法はステップ６００から始まり、１以上のプロテクトされたトラフィックストリームが、ネットワークの時計回り及び／又は反時計回りのリング内で１以上の波長で伝送されている。ステップ６０２では、１以上のプリエンプタブルトラフィックストリームが、ネットワークの時計回り及び／又は反時計回りのリング内で１以上の波長で伝送されている。上述したように、プロテクトされたトラフィックはネットワークの一方のリング内で伝送され、プリエンプタブルトラフィックはネットワークの他方のリングで伝送されてもよい。或いは、プロテクトされたトラフィックが各リングの特定の波長／チャネルで伝送され、プリエンプタブルトラフィックが各リングの他の波長／チャネルで伝送されてもよい。適切ないかなるチャネル割当が使用されてもよく、そのような適切な割当は、ネットワークの不具合の際にプロテクション機能を提供する必要のある場合に、特定のトラフィックの波長を変換する要請に応じるものである。更に、ネットワーク容量を効率的に使用するように、チャネルの利用が割り当てられる。
【０１２１】
判定ステップ６０４では、プロテクトされたトラフィックストリームの動作経路に関する中断の有無が判別される。そのような中断は、プロテクトされたトラフィックストリームがその宛先ノードへ到達するのを妨げる回線切断その他の中断事由を含む。何らの中断も生じていなければ、本方法はステップ６００に戻る。中断が生じていると、ステップ６０６において、プロテクション経路に沿う何らかのプリエンプタブルトラフィックが終端される。ステップ６０８では、ネットワーク内のゲートウエー１４は、プロテクショントラフィックが、プロテクション経路に沿って進行できるように再構成される。特定の実施例では、これは、ネットワーク内での干渉を回避するために、プロテクショントラフィックの波長を変換するように少なくとも１つのゲートウエー１４を構成することで、達成される。１以上のゲートウエー１４は、そのような例では、比較的大きな光リングサイズを用意するために、プロテクショントラフィックを（波長変換なしに）再生成するように構築されてもよい。複数の動作経路が不具合を有し、それら動作経路におけるプロテクトされたトラフィックがプロテクション経路を共用する場合には、最高の優先度でプロテクトされるトラフィックに、プロテクション経路が与えられてもよいことに留意を要する。
【０１２２】
ステップ６１０では、中断したトラフィックのソースＡＤＮ１２が、中断したトラフィックの方向を切り替え、中断したトラフィックをプロテクション経路で送信する。判断ステップ６１２では、中断が復旧したか否かが判別される。中断が復旧していなければ、本方法はステップ６１０に戻り、中断したトラフィックはプロテクション経路内を伝搬し続ける。中断が復旧していたならば、本方法はステップ６１４に進み、ネトワークは中断前の状態に戻され、本方法は終了する。プロテクションがネットワークでなされる限り、本方法が反復される。
【０１２３】
複合的な通信環境では、図１のネットワーク１０や、他の適切な任意の光ネットワークのように、複数の光ネットワークは、ネットワークシステム内のあるネットワークから別のものへのトラフィックが付加及び／又は削除されるように、互いに通信してもよい。
【０１２４】
図１１は、本発明の一実施例による光ネットワーク８００を示すブロック図である。本実施例では、ネットワーク１０，７００，７５０は、ネットワーク８００を形成するように各々が共に結合された光リングネットワークである。光ネットワーク１０，７０，７５０の特定の態様が示されているが、ネットワークシステム８００は適切な任意の数又は形式のネットワークから構成されてもよい。図示の例では、ネットワーク１０，７００は複数のＡＤＮ１２及びゲートウエー１４を有する光リングネットワークであり、ネットワークは図１を参照しながら説明されたようなサブネットに分割される。光ネットワーク７５０は複数のＡＤＮ１２及び単独のゲートウエー１４より成る。ネットワーク１０，７００はそれらの関連するゲートウエー１４ａ，１４ｂにより共に結合され、ネットワーク１０，７５０はそれらの関連するゲートウエー１４ｃ，１４ｄにより共に結合される。これらの接続は、トラフィックがネットワーク間で通信されるようになされる。ネットワーク例はゲートウエー１４にて結合されているが、図１３に関連して以下に説明されるように、ネットワークは他の実施例ではＡＤＮ１２を用いて結合されてもよい。
【０１２５】
図１２は、ネットワーク１０，７００のゲートウエー１４ａ，１４ｂ間の接続の様子を詳細に示す。図示の例では、ゲートウエー１４ａ，１４ｂの各々は、図４Ａの再生成要素２２０を図４Ｂの信号再生成要素２４０で置換した場合の図４Ａのゲートウエー１４より成る。ゲートウエー１４ａ，１４ｂは相互接続モジュール８５０を用いて結合される。相互接続モジュール８５０は、ゲートウエー１４及びそれらの関連するネットワーク間でトラフィックが通信されるところの経路を形成するように、相互接続モジュール８５０は各ゲートウエー１４のスイッチ２４３，２４５に接続される。ネットワーク間で通信される各波長について、相互接続モジュール８５０がある。各スイッチ２４３は、上述したように、再生成及び／又は波長変換のためのゲートウエー１４のスイッチ２４５に、又は相互接続モジュール８５０に光信号を通知するように動作する。各スイッチ２４３により通知される光信号は矢印２４６で示される。各スイッチ２４５は、関連するスイッチから又は相互接続モジュール８５０から、光信号を受信するように動作する。各スイッチ２４５で受信された光信号は、矢印２４８で示される。
【０１２６】
相互接続モジュール８５０は、複数の光スプリッタ８６０及び複数のスイッチ８７０より成る。各スプリッタ８６０は、第１ネットワークに関連するスイッチ２４３に結合され、そのスイッチは、第２ネットワークへのトラフィックを除き、第２ネットワークは除かれたトラフィックを受信する。各スイッチ８７０は、第２ネットワークのスイッチ２４５に結合され、第１ネットワークに結合されたスプリッタ８６０に更に結合される。スプリッタ８６０及びスイッチ８７０は相互接続モジュール８５０の一部であるとして説明されるが、これらの要素はゲートウエー１４又はＡＤＮ１２内に含まれてもよく、従って相互接続モジュール８５０に設けなくてもよい。
【０１２７】
光スプリッタ８６０によって受信された信号２４６は、各々が実質的に等しい内容及び／又はエネルギを有する２つの光信号に分割される。光信号は、信号が付加される光ネットワークのリング１６及び／又は１８に関連するスイッチ８７０によって受信される。スイッチ８７０の特定の態様は、第１の光ネットワークから除かれた信号が第２の光ネットワークのどのリングに付加されるかを決定する。
【０１２８】
あるアプリケーションでは、光トランスポンダ２３４はゲートウエー１４から省略されてもよい。例えば、限定ではないが、宛先ノードがゲートウエー１４に非常に近接しているならば、例えば宛先ノードがそのネットワーク内で隣のノードであるならば、トランスポンダ２３４は必要とされないかもしれない。なぜなら、光信号が低いビットエラーレートで宛先ノードに伝搬し、光トランスポンダ２３４の必要性をかなり低減する程度に充分に、宛先ノード及びゲートウエーノード１４間の距離が短いからである。
【０１２９】
図１３は、図１２に示されるように、各ネットワークに関連するゲートウエー１４を用いて、第１の光リングネットワーク１０から第２の光リングネットワーク７００へトラフィックを受動的に通信する方法例を示す。本方法はステップ９００から始まり、進入トラフィックが、第１の光ネットワーク１０の光リング１６／１８におけるゲートウエー１４のカプラ６０ａで受信される。ステップ９０２では、進入トラフィックの第１及び第２のコピーがカプラ６０ａにより生成される。ステップ９０４では、進入トラフィックの第１及び第２のトラフィックがカプラ６０ａにより受動的に転送される。第１のコピーはｍｕｘ／ｄｅｍｕｘユニット２１４に受動的に転送され、第２のコピーはスプリッタ２２２に受動的に転送される。ステップ９０６では、進入トラフィックの第２のコピーが、スプリッタ２２２により実質的に等しい複数のコピーに分割される。ステップ９０８では、第２のコピーの少なくとも１つのコピーが、フィルタ２３０にて１以上の構成要素の波長に選別される。ステップ９１０では、スイッチ８７０が、進入トラフィックの第２のコピーの１以上の構成要素の波長を、光ネットワーク７００に選択的に転送する。ステップ９１２では、転送された信号の１以上の波長が、光ネットワーク７００に結合されたノード（例えば、ＡＤＮ１２又はゲートウエー１４）にて受信される。ステップ９１４では、転送された信号の少なくとも１つの波長が、カプラ６０ｂを用いて、光ネットワーク７００の光リング７１６／７１８にて付加される。
【０１３０】
例示的な方法が示されているが、本発明は、２以上のステップを実質的に同時に又は異なる順序で行うことも含む。更に、第１の光リングネットワークからのトラフィックを第２の光リングネットワークに受動的に付加するための方法が適切である限り、本発明は、付加的なステップ、より少ないステップ又は別のステップを利用することも含む。更に、ＡＤＮは相互接続モジュール８５０を用いて同様に相互接続されてもよい。例えば、相互接続モジュール８５０のスプリッタ８６０にゲートウエー１４のトランスポンダ２３２を結合するのと同様に、ＡＤＮ１２の受信機１０２は、ＡＤＮ１２がモジュール８５０を用いて相互接続される場合に、スプリッタ８６０に結合されてもよい。また、ゲートウエー１４のトランスポンダをモジュール８５０のスイッチ８７０に結合するのと同様に、送信機１０４は、ＡＤＮ１２がモジュール８５０を用いて相互接続される場合に、スイッチ８７０に結合されてもよい。
【０１３１】
図１４は、本発明の一実施例による図２のＡＤＮ１２の修正に関するＡＤＮ１０００の詳細を示すブロック図である。本実施例では、ＡＤＮ１０００は、図２のＡＤＮ１２に含まれているものと同様の要素より成る。しかしながら、ＡＤＮ１２に含まれる要素に加えて、ＡＤＮ１０００は、各波長に関連する光受信機１０２を有するマルチプレクサ１１０７に結合された光スイッチ１１０５を含み、その波長はネットワークの各リングで通信されるものである。ＡＤＮ１０００は、ネットワークの各リングと通信中の波長の各々に関連するスイッチ１１０８を含む。マルチプレクサ１１０７を付加することで、１以上の受信したチャネルに含まれる信号を、１つのチャネル含まれる多重化された信号に、ＡＤＮ１０００が（スイッチ１１０５を用いて）選択的にマルチプレクスすることを可能にし、これによりネットワーク上のチャネル数を減らし、波長リソースの利用性を最大化する。
【０１３２】
図２の分配／合成要素８０と同様に、ドロップリード８６は１以上のチューナブルフィルタ１００に接続され、そのフィルタは図１４に示されるようにスイッチ１１０５を通じてマルチプレクサ１１０７の１以上のブロードバンド光受信機１０２に接続されてもよい。光受信機１０２は１以上のスイッチ１１０５に結合され、そのスイッチは、受信した光信号を除くように（ローカルに宛てられたトラフィック１１０６により示される）、或いはその光信号をマルチプレクサ１１０７に伝搬させるように構築されてもよい。マルチプレクサ１１０７はそこを通過する光信号を多重化する。マルチプレクサ１１０７は、多重化された信号をスイッチ１１０８に伝送する。スイッチ１１０８の構成に依存して、マルチプレクサ１１０７からの多重化された信号又はローカルに導出されたトラフィック１１０９は、リング１６及び／又は１８に付加される。
【０１３３】
除かれた光信号の多重化は、ネットワーク上の波長リソースを最大化する。特定の実施例では、マルチプレクサ１１０７は、光リング１８から除かれた２つのＧｂＥチャネルを、光リング１８に再度付加された１つのＯＣ−４８ソネット（ＳＯＮＥＴ）チャネルに接続する。他の実施例では、８つのＧｂＥチャネルが、１つのＯＣ−１９２ソネットチャネルに多重化される。この説明は、光リングから除かれる信号形式の具体例を示すが、上述したように、適切ないかなる形式の光信号も除去及び多重化されてもよい。
【０１３４】
多重化された信号（マルチプレクサ１１０７の光送信機１０４によって光形式に変換される。）であってもなくても、スイッチ１１０８を通過する信号又は局所的に導出された信号（図示の例では、スイッチ１１０８で受信される際に光形式であることが仮定されている。）は、リード８８を介して分配／合成要素８０に伝送され、上述したように、図１４に示されるように、反時計回りの付加セグメント１４２及び時計回りの付加セグメント１４６を通じて、信号は、合成器８４により合成され、伝送要素５０ａ，５０ｂに転送される。
【０１３５】
図１５は、本発明の一実施例による図１４のＡＤＮ１０００より成る例示的な光ネットワーク２０００を示す。図１５は、特定の実施例において、２つのチャネル２０１０，２０２０に含まれる信号が、ＡＤＮ１０００ａ，１０００ｂにて光リングネットワーク２０００に付加される様子を示す。チャネル２０１０，２０２０に含まれる信号は、ネットワーク２０００のリング１６に沿って伝搬し、それらは、図１４に関連して説明したように、マルチプレクサ１１０７を用いてＡＤＮ１０００ｄにて単独のチャネル２０３０に多重化される。特定の実施例では、チャネル２０１０，２０２０に含まれる信号は、ＧｂＥ信号をそれぞれ含み、多重化されたチャネル２０３０はＯＣ−４８ソネット信号を含む。本節名は、ＡＤＮ１０００により多重化される信号の特定の形式の例を示すが、適切ないかなる形式の光信号も上述したように除去及び多重化されてもよい。
【０１３６】
チャネル２０１０，２０２０に含まれる信号は、それらがゲートウエー１４ｂで終端されるまでリング１６に沿って伝搬し続ける。チャネル２０３０に含まれる多重化された信号は、それの終端地点（図示の例ではゲートウエー１４ｃ）に達するまで、リング１６上を伝搬し続ける。このように、サブネット２２００内で当初に送信された２つの当初のチャネル（即ち、チャネル２０１０，２０２０）に含まれる信号ではなく、単独のチャネル（即ち、チャネル２０３０）に包含された信号がサブネット２３００内で伝送され、ネットワーク２０００における波長リソースの利用性を更に効率的にする。チャネル２０３０に含まれている信号がリング１６を伝搬すると、それらの内容は、図示の例では、ＡＤＮ１０００ｇのようなリング１６に沿うＡＤＮにて、ローカルクライアントや他の光ネットワークのような他の宛先に落とされる。別の実施例では、ＡＤＮ１０００ではなくゲートウエー１４にて、図１４のマルチプレクサ１１０７に関して上述したのと同様な方法で多重化がなされる。
【０１３７】
図１６は、本発明の一実施例による図１４のノード１０００を備えた例示的な光ネットワーク２０００を示し、チャネル多重化に加えてＯＵＰＳＲプロテクションが実行される。図１６は、特定の実施例にて、チャネル２０１０，２０２０に含まれる信号が，ＡＤＮ１０００ｂ，１０００ｃ各々において光リングネットワーク２０００に付加されてもよいことを示す。チャネル２０１０，２０２０に含まれる信号は、ネットワーク１０００のリング１６に沿って伝搬し、図１４に関して説明したように、マルチプレクサ１１０７を用いてＡＤＮ１０００ｄにてそれらは単独のチャネル２０３０に多重化される。特定の実施例では、チャネル２０１０，２０２０に含まれる信号はそれぞれＧｂＥ信号を含み、多重化されたチャネル２０３０はＯＣ−４８ソネット信号を含む。本説明は、ＡＤＮ１０００により多重化される信号の特定の形式を説明するが、上述したように、適切ないかなる形式の光信号も除去及び多重化されてもよい。
【０１３８】
チャネル２０１０，２０２０に含まれる信号は、それらがゲートウエー１４ｂにて終端されるまでリング１６上を伝搬し続ける。チャネル２０３０に含まれる多重化信号は、それらの宛先ロケーション（図示の例では、ＡＤＮ１０００ｇ）に至るまで、リング１６上を伝搬し続ける。チャネル２０３０に含まれる信号は、それらが終端地点（図示の例では、ゲートウエー１４ｃ）に到達すると終端される。一実施例によれば、ＯＵＰＳＲプロテクションを行うために、チャネル２０１０，２０２０に含まれる信号は、リング１８に沿ってＡＤＮ１０００ａに送信され、それらはチャネル２０４０に多重化される。チャネル２０４０に包含される多重化された信号は、それらの宛先ロケーション（図示の例では、ＡＤＮ１０００ｇ）に至るまでリング１８上を伝搬する。チャネル２０４０に含まれる信号は、それらが終端地点（図示の例では、ゲートウエー１４ｂ）に到達すると終端される。このように、チャネル２０１０，２０２０に含まれている信号は、たとえネットワークの一方のリングが中断しても、それらの宛先ロケーションに到達できる。
【０１３９】
図１７は、光リングネットワーク２０００の光リングおける多重化トラフィックを送信する方法例を示す。本方法はステップ２４０２から始まり、ＡＤＮ１０００ｂ，１０００ｃが、ネットワーク２０００のリング１６上で光信号２０１０，２０２０をそれぞれ付加する。ステップ２４０４では、信号２０１０，２０２０がＡＤＮ１０００ｄに受信され、リング１６に結合されるＡＤＮ１０００ｄの光カプラ６０は、（リング１６上で受信した他の任意のトラフィックと共に）信号２０１０，２０２０の第１及び第２のコピーを生成する。上述したように、第１のコピーはリング１６に沿って転送され、第２のコピーは分配／合成要素８０に落とされる。ステップ２４０６では、上述したように、信号２０１０，２０２０の第２のコピーが、信号２０３０を生成するために多重化される。ステップ２４０８では、多重化された信号２０３０は、（カプラ６０により転送される他のトラフィックと共に）カプラ６０にて信号２０１０，２０２０の第１のコピーと合成される。ステップ２４１０では、ＡＤＮ１０００ｄが、リング１６上で、多重化された信号２０３０及び信号２０１０，２０２０を含む受信したトラフィックの第１のコピーを、リング１６上の次のノードであるゲートウエー１４ｂに転送する。
【０１４０】
ステップ２４１２では、ゲートウエーノード１４ｂはリング１６上の信号２０１０，２０２０，２０３０を受信する。ステップ２４１４では、ゲートウエーノード１４ｂが信号２０１０，２０２０を終端する。信号２０１０，２０２０に含まれる情報は信号２０３０に含まれているので、これらの信号は終端される。信号２０１０，２０２０を含むトラフィックを削除し、信号２０３０を維持することで、信号２０１０，２０２０に含まれる情報は多重化信号２０３０によりネットワーク内に依然として存在するが、トラフィックを伝送するのに必要な信号数は少なくなり、それによりネットワークリソースの利用性が向上する。ステップ２４１６では、  ゲートウエー１４ｂは、ＡＤＮ１０００ｇのようなネットワーク上の他のノードに信号２０３０を転送し、ＡＤＮ１０００ｇでは、信号のコピーがローカルクライアント又は他のネットワークに落とされ、信号２０３０の別のコピーがゲートウエー１４ｃに転送される。ステップ２４１８では、ゲートウエー１４ｃは、ＡＤＮ１０００ｄで付加される信号との干渉を避けるために、信号２０３０を終端する。
【０１４１】
ネットワーク２０００にてＯＵＰＳＲプロテクションを行うために、図１６に示されるように、ステップ２４０２乃至２４１８は、リング１８に付加されるトラフィックについて同様に実行されてもよい。この場合に、信号２０１０，２０２０は、ＡＤＮ１０００ａにて信号２０４０に多重化され、信号２０１０，２０２０はゲートウエー１４ａで終端される。信号２０４０は、１０００ｇのようなネットワーク上の別のノードに転送され、そのノードでは信号がローカルクライアント又は別のネットワークに落とされる。しかしながら、信号２０３０，２０４０はネットワーク２０００上で互いに反対方向に伝搬し、リング１６又は１８での通信が中断された場合に、信号２０３０又は２０４０に包含される情報が、各自に関連するリングに沿って宛先に到達することに留意を要する。ゲートウエー１４ｂは、ＡＤＮ１０００ａで付加される信号２０４０との干渉を回避するために信号２０４０を終端する。
【０１４２】
例示的な方法が説明されたが、本発明は、２以上のステップを実質的に同時に又は異なる順序で行うことも包含する。更に、光リングネットワーク内の光トラフィックチャネルを多重化するための方法が適切である限り、本発明は、更なるステップ、より少ないステップ又は別のステップを利用する方法をも包含する。
【０１４３】
以上本発明はいくつかの実施例と共に説明されたが、多くの、変更、置換、変形、代替及び修正が当業者に示されるであろうし、本発明は、そのような変更、置換、変形、代替及び修正の総てが、添付の特許請求の範囲及びその精神の範疇にあるようにそれらを包含することが意図される。
【０１４４】
以下、本発明により教示される手段を例示的に列挙する。
【０１４５】
（付記１）
第１の光ネットワーク及び第２の光ネットワークより成り、各ネットワークが少なくとも１つの光ゲートウエーノード及び複数の受動的オプティカル付加／削除ノードを有するところの光ネットワークシステムであって、
前記第１の光ネットワークに結合された第１のゲートウエーノードと、
前記第２の光ネットワークに結合された第２のゲートウエーノードとを備え、
前記第１のゲートウエーノードは、受信した光信号の第１の複製を前記第１のゲートウエーノードのマルチプレクサ／デマルチプレクサユニットに転送し、前記マルチプレクサ／デマルチプレクサユニットは、前記第１の複製を１成分以上の波長に多重化し、前記第１の複製の波長の各々におけるトラフィックを選択的に転送又は終端するよう動作し、
前記第１のゲートウエーノードは、受信した光信号の第２の複製を前記第１のゲートウエーノードの再生成要素に転送し、前記第２の複製は前記マルチプレクサ／デマルチプレクサユニットを迂回し、
前記第１のゲートウエーノードは、前記マルチプレクサ／デマルチプレクサユニットにて前記第１の複製の波長の各々におけるトラフィックを選択的に転送又は終端し、
前記第１のゲートウエーノードは、前記再生成要素における前記第２の複製の波長の各々におけるトラフィックについて、トラフィックを終端すること、トラフィックを前記第２の光ネットワークに転送すること又はトラフィックの再生成後に前記第１の光ネトワーク上のトラフィックを転送することの１つを選択的に実行し、
前記第２のゲートウエーノードは、前記第１のゲートウエーノードから転送された前記第２の複製に含まれるトラフィックを受信し、
前記第２のゲートウエーノードは、前記第１のゲートウエーノードから転送された前記第２の複製に含まれるトラフィックを、前記第２の光ネットワークのリングに付加する
ことを特徴とする光ネットワークシステム。
【０１４６】
（付記２）
前記再生成要素が、トラフィックの波長を再生成及び変換した後に、トラフィックを選択的に転送する
ことを特徴とする付記１記載のシステム。
【０１４７】
（付記３）
少なくとも１つのネットワークが複数のサブネットより成り、各サブネットは複数の付加／削除ノードより成り、サブネット数はネットワーク内のゲートウエーノード数に等しい
ことを特徴とする付記１記載のシステム。
【０１４８】
（付記４）
各サブネット内で、付加／削除ノードの各々が、トラフィックのチャネル間隔によらずトラフィックを付加及び削除する
ことを特徴とする付記３記載のシステム。
【０１４９】
（付記５）
付加／削除ノードの各々が、ネットワークのリングの各々に関連する１以上の光カプラより成り、前記光カプラは、関連するリングにトラフィックを受動的に付加する及び関連するリングからトラフィックを受動的に除く
ことを特徴とする付記１記載のシステム。
【０１５０】
（付記６）
前記第１のゲートウエーノードが、
光リング上の進入トラフィックを受信し、受信した光信号の第１の複製をマルチプレクサ／デマルチプレクサユニットに転送し、受信した光信号の第２の複製を再生成要素に転送する第１の光カプラと、
前記マルチプレクサ／デマルチプレクサユニットにより転送されたトラフィックを受信し、受信したトラフィックを合成し、合成された信号が光リング上で転送されるようにする第２の光カプラと
を備えることを特徴とする付記１記載のシステム。
【０１５１】
（付記７）
前記信号再生成要素が、
前記第１の光カプラから受信した前記第２の複製の複数の複製を作成するスプリッタと、
１以上のフィルタであって、各フィルタは、前記第２の複製の複数の複製の１つを受信し、受信した複製の１以上の波長に関する信号を転送するところの１以上のフィルタと、
１以上のトランスポンダであって、各トランスポンダは、１以上のフィルタにより特定の波長に選別された信号を受信し、該波長の信号を再生成するところの１以上のトランスポンダと、
再生成した信号を受信及び合成し、合成された信号を第２の光カプラへ転送する合成器と
を備えることを特徴とする付記６記載のシステム。
【０１５２】
（付記８）
１以上のトランスポンダが、受信した信号の波長を変換する
ことを特徴とする付記７記載のシステム。
【０１５３】
（付記９）
前記マルチプレクサ／デマルチプレクサユニットが、
受信した光信号の第２の複製を、複数の構成要素の波長に分離するデマルチプレクサと、
各波長を選択的に転送又は終端するスイッチと、
転送された波長を合成するマルチプレクサと
を備えることを特徴とする付記１記載のシステム。
【０１５４】
（付記１０）
信号再生成要素により再生成された各波長が、前記マルチプレクサ／デマルチプレクサユニットにより終端される
ことを特徴とする付記１記載のシステム。
【０１５５】
（付記１１）
前記第１のゲートウエーノードが、第２のネットワークに結合された第２のゲートウエーノードから受信したトラフィックを、第１のネットワークに付加する
ことを特徴とする付記１記載のシステム。
【０１５６】
（付記１２）
前記第１のゲートウエーノードから前記第２の光ネットワークに転送されたトラフィックが、前記第１のネットワークを前記第２のネットワークに結合する相互接続モジュールにて受信され、前記相互接続モジュールが、
前記第１の光ネットワークのリングに結合された光カプラと、
前記第２の光ネットワークに結合されたスイッチと、
を備え、前記光カプラは、
前記第１の光ネットワークから前記第２の光ネットワークに転送された前記第２の複製に含まれるトラフィックを受信し、
前記第２の複製に含まれるトラフィックを実質的に等しい複製に分割し、
前記第２の複製に含まれるトラフィックの複製を第２の光ネットワークに転送し、
前記スイッチは、
前記光カプラにより転送されたトラフィックの複製を受信し、
トラフィックの複製を前記第２の光ネットワークの光リングに選択的に転送する
ことを特徴とする付記１記載のシステム。
【０１５７】
（付記１３）
第１の光ネットワーク及び第２の光ネットワークより成り、各ネットワークが少なくとも１つの光ゲートウエーノード及び複数の受動的オプティカル付加／削除ノードを有するところの光ネットワークシステムであって、
前記第１の光ネットワークに結合された第１の付加／削除ノードと、
前記第２の光ネットワークに結合された第２の付加／削除ノードとを備え、
前記第１の付加／削除ノードは、前記第１のネットワークから進入トラフィックを受信し、
前記第１の付加／削除ノードは、前記進入トラフィックの第１及び第２の複製を受動的に転送し、前記進入トラフィックの第２の複製は、付加／削除ノードの分配／合成要素に転送され、
前記第１の付加／削除ノードは、前記進入トラフィックの第２の複製を実質的に等しい複数の複製に分割し、
前記第１の付加／削除ノードは、前記進入トラフィックの第２の複製を１以上の構成要素の波長に選別し、
前記進入トラフィックの第２の複製の１以上の構成要素の波長におけるトラフィックを選択的に転送し、
前記第２の付加／削除ノードは、前記第１の付加／削除ノードから転送された第２の複製に含まれるトラフィックを受信し、
前記第２の付加／削除ノードは、前記第１の付加／削除ノードから転送された第２の複製に含まれる転送されたトラフィックを、第２の光ネットワークの光リングに付加する
ことを特徴とする光ネットワークシステム。
【０１５８】
（付記１４）
少なくとも１つのネットワークが複数のサブネットより成り、各サブネットが複数の付加／削除ノードより成り、サブネット数がネットワーク内のゲートウエーノード数に等しい
ことを特徴とする付記１３記載のシステム。
【０１５９】
（付記１５）
各サブネット内で、付加／削除ノードの各々が、トラフィックのチャネル間隔によらずトラフィックを付加及び除去する
ことを特徴とする付記１４記載のシステム。  
（付記１６）
付加／削除ノードの各々が、ネットワークの各リングに関連する１以上の光カプラより成り、前記光カプラは、関連するリングにトラフィックを受動的に付加する及び関連するリングからトラフィックを受動的に除く
ことを特徴とする付記１３記載のシステム。
【０１６０】
（付記１７）
前記第１の付加／削除ノードは、前記第２のネットワークに結合された第２の付加／削除ノードから受信したトラフィックを前記第１のネットワークに付加する
ことを特徴とする付記１３記載のシステム。
【０１６１】
（付記１８）
前記第１の付加／削除ノードから前記第２の光ネットワークに転送されたトラフィックが、前記第１のネットワークを前記第２のネットワークに結合する相互接続モジュールにて受信され、前記相互接続モジュールが、
前記第１の光ネットワークのリングに結合された光カプラと、
前記第２の光ネットワークに結合されたスイッチと、
を備え、前記光カプラは、
前記第１の光ネットワークから前記第２の光ネットワークに転送された前記第２の複製に含まれるトラフィックを受信し、
前記第２の複製に含まれるトラフィックを実質的に等しい複製に分割し、
前記第２の複製に含まれるトラフィックの複製を第２の光ネットワークに転送し、
前記スイッチは、
前記光カプラにより転送されたトラフィックの複製を受信し、
トラフィックの複製を前記第２の光ネットワークの光リングに選択的に転送する
ことを特徴とする付記１３記載のシステム。
【０１６２】
（付記１９）
第１の光ネットワークからのトラフィックを第２の光ネットワークに受動的に付加する方法であって、
前記第１の光ネットワークに結合されたノードにおいて、前記第１の光ネットワークの光リングから進入トラフィックを受信し、
前記進入トラフィックの第１及び第２の複製を生成し、
前記進入トラフィックの第１及び第２の複製を受動的に転送し、
前記進入トラフィックの第２の複製を実質的に等しい複数の複製に分割し、
前記進入トラフィックの第２の複製の少なくとも１つを、１以上の構成要素の波長に選別し、
前記進入トラフィックの第２の複製の１以上の構成要素の波長における信号を、第２の光ネットワークに結合されたノードに選択的に転送し、
前記第２の光ネットワークに結合されたノードにおいて、１以上の波長で転送された信号を受信し、
以上の波長で転送された信号を、前記第２の光ネットワークの光リングに付加する
ことを特徴とする方法。
【０１６３】
（付記２０）
前記ノードが、ゲートウエーノードより成る
ことを特徴とする付記１９記載の方法。
【０１６４】
（付記２１）
前記進入トラフィックの第１の複製を、前記ゲートウエーノードのマルチプレクサ／デマルチプレクサユニットに転送し、前記マルチプレクサ／デマルチプレクサユニットは、前記第１の複製を１成分以上の波長に多重化し、前記第１の複製の波長の各々におけるトラフィックを選択的に転送又は終端する
ことを特徴とする付記２０記載の方法。
【０１６５】
（付記２２）
前記ノードが、付加／削除ノードより成る
ことを特徴とする付記１９記載の方法。
【０１６６】
（付記２３）
付加／削除ノードの各々が、ネットワークのリングの各々に関連する１以上の光カプラより成り、前記光カプラは、関連するリングにトラフィックを受動的に付加し、関連するリングからトラフィックを受動的に除去する
ことを特徴とする付記２２記載の方法。
【０１６７】
（付記２４）
少なくとも１つのネットワークが複数のサブネットより成り、各サブネットが複数の付加／削除ノード及び複数のゲートウエーノードより成り、サブネット数がネットワーク内のゲートウエーノード数に等しい
ことを特徴とする付記１９記載の方法。
【０１６８】
（付記２５）
各サブネット内で、付加／削除ノードの各々が、トラフィックのチャネル間隔によらずトラフィックを付加及び除去する
ことを特徴とする付記２４記載の方法。  
（付記２６）
前記第２のネットワークに結合されたノードから受信したトラフィックを、前記第１のネットワークに結合されたノードにて第１のネットワークに付加する
ことを特徴とする付記１９記載の方法。
【０１６９】
（付記２７）
前記第１のノードから第２の光ネットワークに転送されたトラフィックが、前記第１のネットワークを前記第２のネットワークに結合する相互接続モジュールにて受信され、前記相互接続モジュールが、
前記第１の光ネットワークのリングに結合された光カプラと、
前記第２の光ネットワークに結合されたスイッチと、
を備え、前記光カプラは、
前記第１の光ネットワークから前記第２の光ネットワークに転送された前記第２の複製に含まれるトラフィックを受信し、
前記第２の複製に含まれるトラフィックを実質的に等しい複製に分割し、
前記第２の複製に含まれるトラフィックの複製を第２の光ネットワークに転送し、
前記スイッチは、
前記光カプラにより転送されたトラフィックの複製を受信し、
トラフィックの複製を前記第２の光ネットワークの光リングに選択的に転送する
ことを特徴とする付記１９記載の方法。
【０１７０】
（付記２８）
複数のサブネットに分割される少なくとも１つの光リングと、
複数のゲートウエーノードと、
を備える光ネットワークであって、前記サブネットの各々は、前記光リングに結合された１以上の付加／削除ノードを有し、１以上の波長で光リングにトラフィックを受動的に付加し、１以上の波長で光リングからトラフィックを受動的に除き、
少なくとも１つの付加／削除ノードは、
複数の光信号より成る進入光トラフィックをそれぞれ別個のチャネルで受信し、
受信した光トラフィックの第１の複製及び第２の複製を転送し、
第２の複製の第１のチャネルに含まれる信号と、第２の複製の第２のチャネルに含まれる信号とを第３のチャネルに多重化し、
前記第３のチャネルの多重化されたトラフィックを、前記第１の複製の第１及び第２のチャネルのトラフィックに付加し、
前記第１の複製の第１及び第２のチャネルにおける少なくともトラフィックに含まれる光信号と、第３チャネルのトラフィックとをネットワーク内の別のノードに転送し、
前記ゲートノードの各々は、
隣接するサブネット間の境界で光リングに結合され、
前記第１の複製の第１及び第２のチャネルの少なくともトラフィックと、第３のチャネルのトラフィックとを含む光信号を受信し、
前記第１の複製の第１及び第２のチャネルのトラフィックを終端し、
第３のチャネルのトラフィックをネットワーク内の別のノードに転送する
ことを特徴とする光ネットワーク。
【０１７１】
（付記２９）
前記ゲートウエーノードが、第１の光カプラを利用して、前記ゲートウエーノードで受信した光信号の第１及び第２の複製を転送し、
前記ゲートウエーノードが、ゲートウエーノードのマルチプレクサ／デマルチプレクサユニットにおいて、ゲートウエーノードで受信した光信号の第１の複製の各波長でトラフィックを選択的に転送又は終端し、前記マルチプレクサ／デマルチプレクサユニットは、受信した光信号の波長の各々でトラフィックを選択的に転送又は終端し、転送されたトラフィックは再生成されず、
前記ゲートウエーノードが、ゲートウエーノードの再生成要素において、ゲートウエーノードで受信した光信号の第２の複製の波長の各々におけるトラフィックについて、第２の複製の第１及び第２のチャネルに含まれるトラフィックを含むトラフィックを終端すること、トラフィックを再生成した後にトラフィックを転送すること又はトラフィックの波長を再生成及び変換した後にトラフィックを転送することの何れかを選択的に実行する
ことを特徴とする付記２８記載の光ネットワーク。
【０１７２】
（付記３０）
信号再生成要素により再生成された波長の各々が、マルチプレクサ／デマルチプレクサユニットにより終端される
ことを特徴とする付記２９記載の光ネットワーク。
【０１７３】
（付記３１）
各ゲートウエーノードが、ゲートウエーノードにより受信されたトラフィックの第１の複製をマルチプレクサ／デマルチプレクサユニットに転送し、
各ゲートウエーノードが、ゲートウエーノードで受信したトラフィックの第２の複製を、ゲートウエーノードの再生成要素に転送し、前記第２の複製がマルチプレクサ／デマルチプレクサユニットを迂回する
ことを特徴とする付記２９記載の光ネットワーク。
【０１７４】
（付記３２）
ゲートウエーノードの前記マルチプレクサ／デマルチプレクサユニットが、
ゲートウエーノードで受信したトラフィックの第２の複製を、複数の構成要素の波長に分離するデマルチプレクサと、
各波長を選択的に転送又は終端するスイッチと、
転送された波長を合成するマルチプレクサと
を備えることを特徴とする付記２９記載の光ネットワーク。
【０１７５】
（付記３３）
信号再生成要素が、
ゲートウエーノードの第１の光カプラから受信した第２の複製の複数の複製を作成するスプリッタと、
１以上のフィルタであって、各フィルタは、第２の複製の複数の複製の１つを受信し、関連する複製の１以上の波長を転送するところの１以上のフィルタと、
１以上のフィルタからの選別された波長の各々を受信し、該波長の信号を再生成する１以上のトランスポンダと、
再生成された信号を受信及び合成し、合成された信号をゲートウエーノードの第２の光カプラに転送する合成器と、
を備えることを特徴とする付記２９記載の光ネットワーク。
【０１７６】
（付記３４）
１以上のトランスポンダが、トランスポンダで受信された選別された波長に関する信号の波長を変換する
ことを特徴とする付記３３記載の光ネットワーク。
【０１７７】
（付記３５）
少なくとも１つの付加／削除ノードが、
第１の光カプラと、
分配／合成要素に結合されたマルチプレクサと、
第１の光カプラ及び合成要素により転送されたトラフィックを受信し、合成された信号が光リング上で転送されるように受信したトラフィックを合成する第２の光カプラと、
を備え、前記第１の光カプラは、
光リング上で進入光トラフィックを受信し、
受信した光トラフィックの第１の複製及び第２の複製を生成し、
受信した光トラフィックの第１の複製を第２の光カプラに転送し、
受信した光トラフィックの第２の複製を分配／合成要素に転送し、
前記マルチプレクサは、第２の複製の第１及び第２のチャネルに含まれるトラフィックを第３のチャネルに多重化し、合成要素に結合される
ことを特徴とする付記２８記載の光ネットワーク。
【０１７８】
（付記３６）
各サブネット内で、付加／削除ノードの各々が、トラフィックのチャネル間隔によらずトラフィックを付加及び削除する
ことを特徴とする付記２８記載の光ネットワーク。
【０１７９】
（付記３７）
付加／削除ノードの各々が、ネットワークの各リングに関連する１以上の光カプラを有し、前記光カプラは、関連するリングにトラフィックを受動的に付加し、関連するリングからトラフィックを受動的に除く
ことを特徴とする付記２８記載の光ネットワーク。
【０１８０】
（付記３８）
１以上のゲートウエーノードが、ゲートウエーノードで受信した光トラフィックの第２の複製の１以上の波長におけるトラフィックを、１以上の適切なクライアントに落とす
ことを特徴とする付記２８記載の光ネットワーク。
【０１８１】
（付記３９）
１以上のゲートウエーノードが、１以上のクライアントからのトラフィックを光リングに付加する
ことを特徴とする付記２８記載の光ネットワーク。
【０１８２】
（付記４０）
複数の付加／削除ノード及び複数のゲートウエーノードより成る光ネットワークの光リングにおいて、多重化されたトラフィックを伝送する方法であって、
複数の光信号より成る進入光トラフィックを、光ネットワークの第１のリングに結合された第１の付加／削除ノードにて、それぞれ別個のチャネルで受信し、
受信した光トラフィックを、ネットワークの第２の付加／削除ノードに転送し、
第２の付加／削除ノードにおいて、受信した光信号の各々に関する第１の複製及び第２の複製を生成し、
受信した信号の各々に関する第２の複製に含まれる信号を多重化信号に多重化し、
前記多重化信号に含まれるトラフィックを、受信信号の各々に関する第１の複製に含まれるトラフィックに付加し、
多重化信号に含まれる少なくともトラフィックと、受信信号の各々に関する第１の複製に含まれるトラフィックとをネットワーク内のゲートウエーノードに転送し、
多重化信号に含まれる少なくともトラフィックと、受信信号の各々に関する第１の複製に含まれるトラフィックとを含む光信号を、ゲートウエーノードの第１の光カプラで受信し、前記第１の光カプラはゲートノードで受信した光信号の第１の複製及び第２の複製を転送し、
ゲートウエーノードで受信信号の各々に関する第１の複製に含まれるトラフィックを終端し、
多重化信号内のトラフィックを、ゲートウエーノードから、ネットワーク内の別のノードに転送する
ことを特徴とする方法。
【０１８３】
（付記４１）
光リングの第２リングにおける受信信号の各々に含まれるトラフィックに含まれる多重化信号を転送する
ことを更に含むことを特徴とする付記４０記載の方法。
【０１８４】
（付記４２）
ゲートウエーノードのマルチプレクサ／デマルチプレクサユニットにおいて、ゲートウエーノードで受信した光信号の第１の複製の各波長でトラフィックを選択的に転送又は終端し、前記マルチプレクサ／デマルチプレクサユニットは、受信した光信号の波長の各々でトラフィックを選択的に転送又は終端し、転送されたトラフィックは再生成されず、
ゲートウエーノードの再生成要素において、ゲートウエーノードで受信した光信号の第２の複製の波長の各々におけるトラフィックについて、第１及び第２のチャネルに含まれるトラフィックを含むトラフィックを終端すること、トラフィックを再生成した後にトラフィックを転送すること又はトラフィックの波長を再生成及び変換した後にトラフィックを転送することの何れかを選択的に実行する
ことを特徴とする付記４０記載の方法。
【０１８５】
（付記４３）
信号再生成要素により再生成された波長の各々が、マルチプレクサ／デマルチプレクサユニットにより終端される
ことを特徴とする付記４２記載の方法。
【０１８６】
（付記４４）
ゲートウエーノードにより受信された光信号の第１の複製をマルチプレクサ／デマルチプレクサユニットに転送し、
ゲートウエーノードで受信した光信号の第２の複製を、ゲートウエーノードの再生成要素に転送し、前記第２の複製がマルチプレクサ／デマルチプレクサユニットを迂回する
ことを特徴とする付記４２記載の方法。
【０１８７】
（付記４５）
ゲートウエーノードの前記マルチプレクサ／デマルチプレクサユニットが、
ゲートウエーノードで受信した光信号の第２の複製を、デマルチプレクサにて複数の構成要素の波長に分離するデマルチプレクサと、
各波長を選択的に転送又は終端するスイッチと、
転送された波長を合成するマルチプレクサと
を備えることを特徴とする付記４２記載の方法。
【０１８８】
（付記４６）
信号再生成要素が、
ゲートウエーノードの第１の光カプラから受信した第２の複製の複数の複製を作成するスプリッタと、
１以上のフィルタであって、各フィルタは、第２の複製の複数の複製の１つを受信し、関連する複製の１以上の波長を転送するところの１以上のフィルタと、
１以上のフィルタからの選別された波長の各々を受信し、該波長の信号を再生成する１以上のトランスポンダと、
再生成された信号を受信及び合成し、合成された信号をゲートウエーノードの第２の光カプラに転送する合成器と、
を備えることを特徴とする付記４２記載の方法。
【０１８９】
（付記４７）
１以上のトランスポンダが、トランスポンダで受信された選別された波長に関する信号の波長を変換する
ことを特徴とする付記４６記載の方法。
【０１９０】
（付記４８）
少なくとも１つの付加／削除ノードが、
第１の光カプラと、
分配／合成要素に結合されたマルチプレクサと、
第１の光カプラ及び合成要素により転送されたトラフィックを受信し、合成された信号が光リング上で転送されるように受信したトラフィックを合成する第２の光カプラと、
を備え、前記第１の光カプラは、
光リング上で進入光トラフィックを受信し、
受信した光トラフィックの第１の複製及び第２の複製を生成し、
受信した光トラフィックの第１の複製を第２の光カプラに転送し、
受信した光トラフィックの第２の複製を分配／合成要素に転送し、
前記マルチプレクサは、第２の複製の第１及び第２のチャネルに含まれるトラフィックを第３のチャネルに多重化し、合成要素に結合される
ことを特徴とする付記４０記載の方法。
【０１９１】
（付記４９）
光ネットワークが、複数のサブネットに分割された少なくとも１つの光リングより成り、各サブネット内で、付加／削除ノードの各々が、トラフィックのチャネル間隔によらずトラフィックを付加及び削除する
ことを特徴とする付記４０記載の方法。
【０１９２】
（付記５０）
光ネットワークが複数のリングより成り、付加／削除ノードの各々が、ネットワークの各リングに関連する１以上の光カプラを有し、前記光カプラは、関連するリングにトラフィックを受動的に付加し、関連するリングからトラフィックを受動的に除く
ことを特徴とする付記４０記載の方法。
【０１９３】
（付記５１）
１以上のゲートウエーノードが、ゲートウエーノードで受信した光信号の第２の複製の１以上の波長におけるトラフィックを、１以上の適切なクライアントに落とす
ことを特徴とする付記４０記載の方法。
【０１９４】
（付記５２）
１以上のゲートウエーノードが、１以上のクライアントからのトラフィックを光リングに付加する
ことを特徴とする付記４０記載の方法。
【図面の簡単な説明】
【０１９５】
【図１】本発明の一実施例による光ネットワーク例を示すブロック図である。
【図２Ａ】本発明の一実施例による図１のネットワークの例示的な付加／削除ノードの詳細を示すブロック図である。
【図２Ｂ】本発明の一実施例による図２Ａのネットワークの付加／削除ノードの別の例を示すブロック図である。
【図３】本発明の一実施例による図２Ａ−３Ｂの付加／削除ノードの光カプラの詳細を示すブロック図である。
【図４Ａ】本発明の一実施例による図１のネットワークの光ゲートウエーの詳細を示すブロック図である。
【図４Ｂ】図４Ａのゲートウエーで実現される再生成素子を示すブロック図である。
【図４Ｃ】図４Ａのゲートウエーで実現されるマルチプレクサ／デマルチプレクサを示すブロック図である。
【図５】本発明の一実施例による図１の光ネットワークの構成例に関する例示的な光経路を示すブロック図である。
【図６】本発明の別の実施例による単独のゲートウエーを有する光ネットワークにおける例示的な光経路を示すブロック図である。
【図７】本発明の特定の実施例による単方向光経路交換リング（ＯＵＰＳＲ）プロテクション機能を与える光ネットワークにおけるトラフィック送信方法例を示す。
【図８】本発明の別の実施例による図１の光ネットワークの構築例の例示的な光信号を示すブロック図である。
【図９】本発明の一実施例による図８のネットワークにおけるトラフィックストリームのプロテクションスイッチング及び光経路プロテクションを示すブロック図である。
【図１０】本発明の特定の実施例による光共用経路プロテクションリング（ＯＳＰＰＲ）プロテクション機能を与える光ネットワークにおけるトラフィックを送信する方法例を示す。
【図１１】本発明の一実施例による光ネットワーク例のブロック図を示す。
【図１２】図１１の光ネットワークシステムにおける光ネットワークのゲートウエー間の接続の一例の詳細を示す。
【図１３】本発明の一実施例により、ある光ネットワークから別の光ネットワークへトラフィックを受動的に付加する方法例を示す。
【図１４】本発明の一実施例による付加／削除ノード例のブロック図を示す。
【図１５】本発明の一実施例による多重化ノードを備えた光ネットワーク例を示す。
【図１６】本発明の別の実施例による多重化ノードを備えた光ネットワーク例を示す。
【図１７】光リングネットワークおける多重化トラフィックを送信する方法例を示す。
【符号の説明】
【０１９６】
１０  ネットワーク；  １２  付加／削除ノード（ＡＤＮ）；  １４  光ゲートウエー；  １６，１８  リング；  ２０，２２，２４  サブネット；
５０  伝送要素；  ６０  付加／削除カプラ；  ６４  増幅器；  ６６  ＯＳＣフィルタ；  ７０  コネクタ；  ８０  分配／合成要素；  ８２  スプリッタ；  ８４  合成器；  ８６  ドロップリード；  ８８  付加リード；  １００  フィルタ；  １０２  受信機；  １０４  送信機；  １１０  管理要素；  １１２  ＯＳＣ受信機；  １１４  ＯＳＣインターフェース；  １１６  ＯＳＣ送信機；  １２４  要素管理システム（ＥＭＳ）；  １２６  ネットワーク管理システム（ＮＭＳ）；  １４２，１４４，１４６，１４８  ファイバセグメント；
１５０，１５２，１５４，１５６  ＯＳＣファイバセグメント；
１８０  本体；  １８２，１８４，１８６，１８８  セグメント；
２００  伝送要素；  ２０４  マルチプレクサ；  ２０６  デマルチプレクサ；  ２１０  スイッチ；  ２１４  ｍｕｘ／ｄｅｍｕｘユニット；  ２２０  再生成要素；  ２２２  スプリッタ；  ２２６  付加リード；  ２２８  ドロップリード；  ２３０  フィルタ；  ２３２，２３４  トランスポンダ；  ２３６  スイッチ；  ２４２，２４４，２４６，２４８  セグメント；  
２４３，２４５  スイッチ；  ２５０  ｍｕｘ／ｄｅｍｕｘユニット；  ２５１  スイッチ；  ２５２  可変光アッテネータ；  ２５３  光スプリッタ；  ２５４  コントローラ；  ２５５  光検出器；  ２５６  ドロップリード；  ２５７  付加リード；  
３００，３０２，３０２’  トラフィックストリーム；
３１０  ネットワーク；  ３２０，３２２’  トラフィックストリーム；
５０２，５０４，５０６  保護されるトラフィックストリーム；  ５０８，５１０  プリエンプタブルトラフィックストリーム；
７００，７５０  ネットワーク；  ８００  ネットワークシステム；
８６０  光スプリッタ；  ８７０  スイッチ；
１０００  付加／削除ノード（ＡＤＮ）；  １１０５  光スイッチ；  １１０７  マルチプレクサ；  
２０００  ネットワーク；  ２０１０，２０２０  チャネル；  ２０３０，２０４０  多重化されたチャネル
【図１】
2005160097.tif 000003
【図２Ａ】
2005160097.tif 000004
【図２Ｂ】
2005160097.tif 000005
【図３】
2005160097.tif 000006
【図４Ａ】
2005160097.tif 000007
【図４Ｂ】
2005160097.tif 000008
【図４Ｃ】
2005160097.tif 000009
【図５】
2005160097.tif 000010
【図６】
2005160097.tif 000011
【図７】
2005160097.tif 000012
【図８】
2005160097.tif 000013
【図９】
2005160097.tif 000014
【図１０】
2005160097.tif 000015
【図１１】
2005160097.tif 000016
【図１２】
2005160097.tif 000017
【図１３】
2005160097.tif 000018
【図１４】
2005160097.tif 000019
【図１５】
2005160097.tif 000020
【図１６】
2005160097.tif 000021
【図１７】
2005160097.tif 000022